(57)【特許請求の範囲】
【請求項１】
第１の歌唱者によるカラオケ歌唱の音声信号を入力する第１のマイクロフォンと、
第２の歌唱者によるカラオケ歌唱の音声信号を入力する第２のマイクロフォンと、
歌詞テロップ及び背景映像を表示する表示手段と、
選択されたカラオケ楽曲を演奏し且つ歌詞テロップ及び背景映像を表示手段に表示させる制御手段と、
を備え、
前記カラオケ楽曲としては、背景映像に第１の映像と第２の映像とが含まれている特定のカラオケ楽曲があり、
前記表示手段は、同一の表示画面に対する第１の視点及び第２の視点にそれぞれ対応する第１の表示方向及び第２の表示方向に、互いに異なる第１の映像及び第２の映像を同時に表示可能に構成されており、
さらに、
前記第１のマイクロフォンに設けられ、第１の周波数を有する光を放射するように構成された第１の発光手段と、
前記第２のマイクロフォンに設けられ、前記第１の周波数とは異なる第２の周波数を有する光を放射するように構成された第２の発光手段と、
前記第１のマイクロフォン及び第２のマイクロフォンが第１の領域及び第２の領域を有する設定領域内に存在する際に、前記第１の発光手段及び第２の発光手段によって放射された光を撮影可能に配置され、その撮影した光に基づいて画像信号を出力する撮影手段と、
前記撮影手段によって出力された画像信号から第１の周波数を有する光の画像信号のみを抽出する第１の抽出手段と、
前記撮影手段によって出力された光の画像信号から第２の周波数を有する光の画像信号のみを抽出する第２の抽出手段と、
前記第１の抽出手段及び第２の抽出手段によって抽出された光の画像信号に基づいて前記第１の発光手段の位置及び第２の発光手段の位置が前記第１の領域内もしくは前記第２の領域内に存在するか否かを判断する判断手段と、
前記第１の領域及び第２の領域と、前記第１の表示方向及び第２の表示方向との対応関係を記憶する記憶手段と、
を備え、
前記制御手段は、前記特定のカラオケ楽曲が選択されている場合には、そのカラオケ楽曲が選択されてからそのカラオケ楽曲の演奏が終了するまでの間、前記第１の発光手段の位置及び第２の発光手段の位置が第１の領域内もしくは第２の領域内に存在するか否かを判断するよう前記判断手段を制御し、その判断された存在位置と、前記記憶手段に記憶された対応関係とに基づいて、前記第１のマイクロフォン及び第２のマイクロフォンの存在位置と、第１の表示方向及び第２の表示方向との対応関係を判定し、その判定した対応関係に基づいて、第１の表示方向及び第２の表示方向に表示させるための映像内容を決定し、その決定した映像内容に応じて第１の映像または第２の映像を選択して前記表示手段へ表示させることを特徴とするカラオケ装置。
【請求項２】
請求項１に記載のカラオケ装置において、
前記第１の発光手段は、
第１の周波数を有する光を発する第１の発光部と、
前記第１のマイクロフォンが略垂直に保持され、外部からの音声を受ける際に、前記第１のマイクロフォンの略水平方向へ前記発光部から発した光を放射する第１の反射体と、
を備え、
前記第２の発光手段は、
第２の周波数を有する光を発する第２の発光部と、
前記第２のマイクロフォンが略垂直に保持され、外部からの音声を受ける際に、前記第２のマイクロフォンの略水平方向へ前記発光部から発した光を放射する第２の反射体と、
を備えることを特徴とするカラオケ装置。
【請求項３】
第１の歌唱者によるカラオケ歌唱の音声信号を入力する第１のマイクロフォンと、
第２の歌唱者によるカラオケ歌唱の音声信号を入力する第２のマイクロフォンと、
歌詞テロップ及び背景映像を表示する表示手段と、
選択されたカラオケ楽曲を演奏し且つ歌詞テロップ及び背景映像を表示手段に表示させる制御手段と、
を備え、
前記カラオケ楽曲としては、背景映像に第１の映像と第２の映像とが含まれている特定のカラオケ楽曲があり、
前記表示手段は、同一の表示画面に対する第１の視点及び第２の視点にそれぞれ対応する第１の表示方向及び第２の表示方向に、互いに異なる第１の映像及び第２の映像を同時に表示可能に構成されており、
さらに、
前記第１のマイクロフォンに設けられ、画像を映写可能な天井に第１の画像を映写可能に構成された第１の映像手段と、
前記第２のマイクロフォンに設けられ、前記天井に第１の画像とは異なる第２の画像を映写可能に構成された第２の映像手段と、
前記第１のマイクロフォン及び第２のマイクロフォンによって前記天井に映写された画像が第１の領域及び第２の領域を有する設定領域内に存在する際に、前記第１の映像手段及び第２の映像手段によって前記天井に映写された第１の画像及び第２の画像を撮影可能に配置され、その撮影した画像に基づいて画像信号を出力する撮影手段と、
前記撮影手段によって出力された画像信号に基づいて前記第１の映像手段の位置及び第２の映像手段の位置が前記第１の領域内もしくは前記第２の領域内に存在するか否かを判断する判断手段と、
前記第１の領域及び第２の領域と、前記第１の表示方向及び第２の表示方向との対応関係を記憶する記憶手段と、
を備え、
前記制御手段は、前記特定のカラオケ楽曲が選択されている場合には、そのカラオケ楽曲が選択されてからそのカラオケ楽曲の演奏が終了するまでの間、前記第１の映像手段の位置及び第２の映像手段の位置が第１の領域内もしくは第２の領域内に存在するか否かを判断するよう前記判断手段を制御し、その判断された存在位置と、前記記憶手段に記憶された対応関係とに基づいて、前記第１のマイクロフォン及び第２のマイクロフォンの存在位置と、第１の表示方向及び第２の表示方向との対応関係を判定し、その判定した対応関係に基づいて、第１の表示方向及び第２の表示方向に表示させるための映像内容を決定し、その決定した映像内容に応じて第１の映像または第２の映像を選択して前記表示手段へ表示させることを特徴とするカラオケ装置。
【請求項４】
請求項３に記載のカラオケ装置において、
前記第１の映像手段は、第１の周波数を有する光を用いて映写され、前記天井の面に対して略垂直に映写したときに特定の図形を有する第１の特定画像を前記第１の画像として前記天井に映写し、
前記第２の映像手段は、第２の周波数を有する光を用いて映写され、前記天井の面に対して略垂直に映写したときに特定の図形を有する第２の特定画像を前記第２の画像として前記天井に映写し、
さらに、
前記撮影手段によって出力された画像信号から第１の周波数を有する光の画像信号のみを抽出する第１の抽出手段と、
前記撮影手段によって出力された画像信号から第２の周波数を有する光の画像信号のみを抽出する第２の抽出手段と、
前記第１の画像抽出手段によって抽出された画像信号に基づいて第１の周波数を有する光の画像の位置と形状とを検出するとともに、前記第２の抽出手段によって抽出された画像信号に基づいて第２の周波数を有する光の画像の位置と形状とを検出する検出手段と、
を備え、
前記判断手段は、前記検出手段によって検出された画像の位置と形状とに基づいて前記第１の映像手段の位置及び第２の映像手段の位置が前記第１の領域内もしくは前記第２の領域内に存在するか否かを判断することを特徴とするカラオケ装置。
【請求項５】
請求項４に記載のカラオケ装置において、
前記第１の映像手段は、
第１の周波数を有する光を発する第１の発光部と、
前記第１のマイクロフォンが略垂直に保持され、外部からの音声を受ける際に、前記発光部から発した光を用いて前記第１のマイクロフォンの上方の前記天井に第１の特定画像を映写する第１の映写口と、
を備え、
前記第２の映像手段は、
第２の周波数を有する光を発する第２の発光部と、
前記第２のマイクロフォンが略垂直に保持され、外部からの音声を受ける際に、前記発光部から発した光を用いて前記第２のマイクロフォンの上方の前記天井に第２の特定画像を映写する第２の映写口と、
を備えることを特徴とするカラオケ装置。
【請求項６】
歌唱者によるカラオケ歌唱の音声信号を入力するマイクロフォンであって、
前記マイクロフォンに設けられ、第１の周波数または第２の周波数のいずれか一方を有する光を発する発光部と、
前記マイクロフォンが略垂直に保持され、外部からの音声を受ける際に、前記発光部から発した光を用いて前記マイクロフォンの上方の天井に画像を映写し、且つ前記天井の面に対して略垂直に映写したときに特定の図形を有する画像を映写する映写口と、
を備えることを特徴とするマイクロフォン。
【請求項７】
請求項３に記載のカラオケ装置において、
前記第１の映像手段は、前記天井の面に対して略垂直に映写したときに第１の図形を有する画像を前記第１の画像として前記天井に映写し、
前記第２の映像手段は、前記天井の面に対して略垂直に映写したときに第２の図形を有する画像を前記第２の画像として前記天井に映写し、
さらに、前記撮影手段によって出力された画像信号に基づいて第１の図形の特徴を有する画像の位置と形状とを検出するとともに、第２の図形の特徴を有する画像の位置と形状とを検出する図形検出手段を
備え、
前記判断手段は、前記図形検出手段によって検出された画像の位置と形状とに基づいて前記第１の映像手段の位置及び第２の映像手段の位置が前記第１の領域内もしくは前記第２の領域内に存在するか否かを判断することを特徴とするカラオケ装置。
【請求項８】
請求項１、請求項３、請求項４及び請求項７のいずれかに記載のカラオケ装置において、
前記制御手段は、前記第１のマイクロフォン及び第２のマイクロフォンの存在位置と、前記第１の表示方向及び第２の表示方向との対応関係に基づき、前記第１のマイクロフォン及び第２のマイクロフォンの存在位置が、それぞれ異なる前記表示方向に対応している場合には、前記第１の表示方向に表示するための映像内容と、前記第２の表示方向に表示するための映像内容とを異なるものに決定し、そうでない場合には、前記第１の表示方向に表示するための映像内容を、前記第２の表示方向に表示するための映像内容と同一のものに決定することを特徴とするカラオケ装置。
【発明の詳細な説明】
【技術分野】
【０００１】
本発明は、カラオケ装置に関し、特に背景映像の制御技術に関する。
【背景技術】
【０００２】
従来、カラオケの歌詞を示す歌詞テロップとカラオケの背景映像とをモニタ画面に表示し、再生したカラオケ曲及びマイク音声をスピーカから出力するカラオケ装置が知られている。
【０００３】
例えば一般的に大人向けと思われるジャンル（例えば演歌やポップスなど）のカラオケ曲の場合、その背景映像中に大人向けの映像内容が含まれている場合がある。そのため、例えば子供がそのような一般的に大人向けと思われるジャンルの曲を選んだ場合、上述した大人向けの映像内容が含まれる背景映像がモニタ画面に表示されてしまうこことなる。
【０００４】
このような事態が生じては、子供に悪影響を与えるおそれがあるため、好ましくない。そこで、例えば特許文献１に開示された発明では、利用者が子供モードを選択設定した場合には、大人向けの映像内容が含まれる背景映像を再生しないようにしている。
【０００５】
また、従来より複数のテレビカメラにより撮影された画像情報によって人の位置を認識する技術が知られている（特許文献２参照）。
【特許文献１】特開平１０−２０８６９号公報
【特許文献２】特許第３７１４７０６号公報（第３頁）
【発明の開示】
【発明が解決しようとする課題】
【０００６】
現在、例えば特開２００２−９９２２３号公報に開示されているように、見る方向によって異なる内容を表示できる表示装置が開発されている。これを上手く利用すれば、子供と大人が共に歌唱する際に、大人は大人向けの背景映像を見ることとなるが、子供はその大人向けの背景映像を見ることはできず、別の背景映像を見るようにすることが可能である。
【０００７】
しかし、上述の特開２００２−９９２２３号公報には、見る方向によって異なる映像を表示できる表示装置の構成が開示されているだけである。例えばカウンターやテーブルの上面に設けた表示装置を挟んで店員と客が対面した場合に、店員は左側から、客は右側から表示装置を見るとすれば、客には見せたくなく店員のみが見ることのできる表示内容については、右側から見えないように設定しておくのである。
【０００８】
このような使用方法を前提とした場合には問題ないが、カラオケに適用した場合には、下記のような問題がある。つまり、カラオケを歌唱している人は特定の場所に必ずいるとは限らず、背景映像を表示している表示装置を右側から見る位置にいる場合もあれば、左側から見る位置にいる場合もあり、中央から見る位置にいる場合もある。そしてさら、大人と子供が離れて歌唱している場合もあれば、くっついて歌唱している場合もある。
【０００９】
このように、歌唱している子供と大人の位置が予め定まっていないため、カラオケにそのまま適用することはできない。
また、上述の特許第３７１４７０６号公報には、複数のテレビカメラにより撮影された画像情報によって人の位置を認識する構成が開示されているだけであり、その人が子供か大人かを認識できない。
【００１０】
本発明は、上記課題に鑑みなされたものであり、例えば子供と大人が共に歌唱して楽しむ場合、子供と大人の位置を認識して、それぞれに適した背景映像を表示させることで、よりカラオケを楽しめるようにすることを目的とする。
【課題を解決するための手段】
【００１１】
本発明のカラオケ装置（１：なお、この欄においては、発明に対する理解を容易にするため、必要に応じて「発明を実施するための最良の形態」欄において説明した構成要素を括弧内に示すが、この記載によって特許請求の範囲を限定することを意味するものではない。）は、第１の歌唱者によるカラオケ歌唱の音声信号を入力する第１のマイクロフォン（２５ａ）と、第２の歌唱者によるカラオケ歌唱の音声信号を入力する第２のマイクロフォン（２５ｂ）と、歌詞テロップ及び背景映像を表示する表示手段（３６）と、選択されたカラオケ楽曲を演奏し且つ歌詞テロップ及び背景映像を表示手段に表示させる制御手段（１２）とを備える。
【００１２】
そして、前記カラオケ楽曲としては、背景映像に第１の映像と第２の映像とが含まれている特定のカラオケ楽曲があり、表示手段は、同一の表示画面に対する第１の視点及び第２の視点にそれぞれ対応する第１の表示方向及び第２の表示方向に、互いに異なる第１の映像及び第２の映像を同時に表示可能に構成されている。
【００１３】
さらに、カラオケ装置は、第１のマイクロフォンに設けられ、第１の周波数を有する光を放射するように構成された第１の発光手段（２７ａ）と、第２のマイクロフォンに設けられ、第１の周波数とは異なる第２の周波数を有する光を放射するように構成された第２の発光手段（２７ｂ）と、第１のマイクロフォン及び第２のマイクロフォンが第１の領域及び第２の領域を有する設定領域内に存在する際に、第１の発光手段及び第２の発光手段によって放射された光を撮影可能に配置され、その撮影した光に基づいて画像信号を出力する撮影手段（３４）と、撮影手段によって出力された画像信号から第１の周波数を有する光の画像信号のみを抽出する第１の抽出手段（３５、３７）と、撮影手段によって出力された光の画像信号から第２の周波数を有する光の画像信号のみを抽出する第２の抽出手段（３５，３７）と、第１の抽出手段及び第２の抽出手段によって抽出された光の画像信号に基づいて第１の発光手段の位置及び第２の発光手段の位置が第１の領域内もしくは第２の領域内に存在するか否かを判断する判断手段（１２）と、第１の領域及び第２の領域と第１の表示方向及び第２の表示方向との対応関係を記憶する記憶手段（１６）とを備える。
【００１４】
そして、制御手段は、前記特定のカラオケ楽曲が選択されている場合には、そのカラオケ楽曲が選択されてからそのカラオケ楽曲の演奏が終了するまでの間、第１の発光手段の位置及び第２の発光手段の位置が第１の領域内もしくは第２の領域内に存在するか否かを判断するよう判断手段を制御し、その判断された存在位置と、記憶手段に記憶された対応関係とに基づいて、第１のマイクロフォン及び第２のマイクロフォンの存在位置と、第１の表示方向及び第２の表示方向との対応関係を判定し、その判定した対応関係に基づいて、第１の表示方向及び第２の表示方向に表示させるための映像内容を決定し、その決定した映像内容に応じて第１の映像または第２の映像を選択して表示手段へ表示させる。
【００１５】
上述のように、本発明のカラオケ装置によれば、次のような作用効果を奏する。すなわち、第１のマイクロフォンに設けられた第１の発光手段が第１の周波数を有する光を放射し、第２のマイクロフォンに設けられた第２の発光手段が第１の周波数とは異なる第２の周波数を有する光を放射する。そして、第１のマイクロフォン及び第２のマイクロフォンが第１の領域及び第２の領域を有する設定領域内に存在する際に、撮影手段が、第１の発光手段及び第２の発光手段によって放射された光を撮影し、その撮影した光に基づいて画像信号を出力する。
【００１６】
そして、第１の抽出手段及び第２の抽出手段が、その出力された画像信号から第１の周波数及び第２の周波数を有する光の画像信号のみをそれぞれ抽出する。判断手段が、その抽出された光の画像信号に基づいて第１の発光手段の位置及び第２の発光手段の位置が第１の領域内もしくは第２の領域内に存在するか否かを判断する。制御手段が、その判断された存在位置と、記憶手段に記憶された対応関係とに基づいて、第１のマイクロフォン及び第２のマイクロフォンの存在位置と、第１の表示方向及び第２の表示方向との対応関係を判定する。
【００１７】
例えば第１の歌唱者が大人で、第２の歌唱者が子供であって、２人で一緒にカラオケ曲を歌唱する場合を例に挙げて説明する。「特定のカラオケ楽曲」とは、背景映像に第１の映像と第２の映像とが含まれているカラオケ楽曲であり、例えば、背景映像に大人向けの映像内容が第２の映像として含まれているようなカラオケ楽曲である。このカラオケ楽曲が選択されると、第１の歌唱者（大人）、第２の歌唱者（子供）は、それぞれ第１のマイクロフォン（大人用マイク２５ａ）、第２のマイクロフォン（子供用マイク２５ｂ）を持ってカラオケ歌唱の準備をする。そして、第１のマイクロフォン（大人用マイク２５ａ）と第２のマイクロフォン（子供用マイク２５ｂ）の位置の判定を開始する。ただし、絶対位置ではなく、第１のマイクロフォン及び第２のマイクロフォンの存在位置と、第１の表示方向及び第２の表示方向との対応関係を判定する。
【００１８】
このようにして自動的に位置関係を判定し、制御手段が、その判定した対応関係に基づいて、例えば大人が存在すると推定される表示方向に表示するための映像内容及び子供が存在すると推定される表示方向に表示するための映像内容を決定し、その決定した映像内容に応じた背景映像を表示手段に表示させれば、それぞれに適した背景映像を表示させることができ、よりカラオケを楽しむことができる。
【００１９】
また、特定のカラオケ楽曲が選択されている場合には、そのカラオケ楽曲が選択されてからそのカラオケ楽曲の演奏が終了するまでの間、制御手段が、マイクロフォンの位置に基づいて背景映像の出力制御を行なう。したがって、例えばカラオケ歌唱中に子供が位置を変えて、その大人向けの背景映像を見ることができる位置に来た場合には、自動的に位置関係を判定し、その判定した対応関係に基づいて、子供には大人向けの背景映像を見せないようにすることができる。
【００２０】
なお、第１の発光手段及び第２の発光手段は、マイクロフォンが略垂直に保持され、外部からの音声を受ける際に、マイクロフォンの略水平方向へ第１の周波数を有する光及び第２の周波数を有する光をそれぞれ放射できるとよい。
【００２１】
すなわち、請求項２に記載のように、第１の発光手段は、第１の周波数を有する光を発する第１の発光部（２６３）と、第１のマイクロフォンが略垂直に保持され、外部からの音声を受ける際に、第１のマイクロフォンの略水平方向へ発光部から発した光を放射する第１の反射体（２５９，２６１）と、を備える。また、第２の発光手段は、第２の周波数を有する光を発する第２の発光部（２６３）と、第２のマイクロフォンが略垂直に保持され、外部からの音声を受ける際に、第２のマイクロフォンの略水平方向へ発光部から発した光を放射する第２の反射体（２５９，２６１）とを備えるとよい。
【００２２】
このように構成されたカラオケ装置によれば、次のような作用効果を奏する。すなわち、第１の発光手段が備える第１の発光部が第１の周波数を有する光を発し、第２の発光手段が備える第２の発光部が第２の周波数を有する光を発する。そして、マイクロフォンが略垂直に保持され、外部からの音声を受ける際に、反射体が、マイクロフォンの略水平方向へ発光部から発した光を放射するように構成されているので、マイクロフォンの略水平方向へ発光部から発した光を放射できる。
【００２３】
例えばマイクロフォンが略球体の一部を有する受音部と、その受音部に接続する握り手部とを備えている場合には、外部からの音声を受音する際には、一般的に利用者は受音部を持たずに、握り手部を持つ。よって、本発明では反射体を利用者によって持たれることが少ない受音部に設けた。そして、反射体が、マイクロフォンの略水平方向へ発光部から発した光を放射できるので、例えば歌唱者が、マイクロフォンに設けられた発光手段を撮影手段の方へ向けて握り手部を意識的に持つ必要がない。したがって、歌唱者は、マイクロフォンの握り手部を持ちやすいように自由に持つことができるので、カラオケを集中して楽しむことができる。
【００２６】
また、大人用マイクと子供用マイクとにそれぞれ設けられた映像手段がカラオケルームなどの天井に異なる画像を映写し、その天井に映写された画像を撮影し、その撮影した画像信号に基づいてマイク位置を判断するように構成してもよい。
【００２７】
すなわち、請求項３に記載のように、第１の歌唱者によるカラオケ歌唱の音声信号を入力する第１のマイクロフォン（４５ａ）と、第２の歌唱者によるカラオケ歌唱の音声信号を入力する第２のマイクロフォン（４５ｂ）と、歌詞テロップ及び背景映像を表示する表示手段（３６）と、選択されたカラオケ楽曲を演奏し且つ歌詞テロップ及び背景映像を表示手段に表示させる制御手段（１２）とを備える。
【００２８】
そして、前記カラオケ楽曲としては、背景映像に第１の映像と第２の映像とが含まれている特定のカラオケ楽曲があり、表示手段は、同一の表示画面に対する第１の視点及び第２の視点にそれぞれ対応する第１の表示方向及び第２の表示方向に、互いに異なる第１の映像及び第２の映像を同時に表示可能に構成されている。
【００２９】
さらに、第１のマイクロフォンに設けられ、画像を映写可能な天井に第１の画像を映写可能に構成された第１の映像手段（４７ａ）と、第２のマイクロフォンに設けられ、天井に第１の画像とは異なる第２の画像を映写可能に構成された第２の映像手段（４７ｂ）と、第１のマイクロフォン及び第２のマイクロフォンによって前記天井に映写された画像が第１の領域及び第２の領域を有する設定領域内に存在する際に、第１の映像手段及び第２の映像手段によって天井に映写された第１の画像及び第２の画像を撮影可能に配置され、その撮影した画像に基づいて画像信号を出力する撮影手段（４４）と、撮影手段によって出力された画像信号に基づいて第１の映像手段の位置及び第２の映像手段の位置が第１の領域内もしくは前記第２の領域内に存在するか否かを判断する判断手段（１２）と、第１の領域及び第２の領域と、第１の表示方向及び第２の表示方向との対応関係を記憶する記憶手段（１６）とを備える。
【００３０】
そして、制御手段は、前記特定のカラオケ楽曲が選択されている場合には、そのカラオケ楽曲が選択されてからそのカラオケ楽曲の演奏が終了するまでの間、第１の映像手段の位置及び第２の映像手段の位置が第１の領域内もしくは第２の領域内に存在するか否かを判断するよう判断手段を制御し、その判断された存在位置と、記憶手段に記憶された対応関係とに基づいて、第１のマイクロフォン及び第２のマイクロフォンの存在位置と、第１の表示方向及び第２の表示方向との対応関係を判定し、その判定した対応関係に基づいて、第１の表示方向及び第２の表示方向に表示させるための映像内容を決定し、その決定した映像内容に応じて第１の映像または第２の映像を選択して表示手段へ表示させる。
【００３１】
このように構成されたカラオケ装置によれば、次のような作用効果を奏する。すなわち、第１のマイクロフォンに設けられた第１の映像手段が天井に第１の画像を映写し、第２のマイクロフォンに設けられた第２の映像手段が天井に第１の画像とは異なる第２の画像を映写する。そして、第１のマイクロフォン及び第２のマイクロフォンが画像を映写可能な天井、第１の領域及び第２の領域を有する設定領域内に存在する際に、撮影手段が、その天井に映写された画像を撮影し、その撮影した画像に基づいて画像信号を出力する。判断手段が、その出力された画像信号に基づいて第１の映像手段の位置及び第２の映像手段の位置が第１の領域内もしくは第２の領域内に存在するか否かを判断する。制御手段が、その判断された存在位置と、記憶手段に記憶された対応関係とに基づいて、第１のマイクロフォン及び第２のマイクロフォンの存在位置と、第１の表示方向及び第２の表示方向との対応関係を判定する。
【００３２】
よって、このように構成されたカラオケ装置によれば、例えばカラオケルーム内においてマイクロフォンと撮影手段との間に歌唱者以外の同伴者やテーブル上の飲食物などの障害物が存在し、マイクロフォンに設けられた発光手段から放射された光を撮影手段が直接撮影できない場合などに効果的である。つまり、マイクロフォンに設けた映像手段がカラオケルーム内の天井に画像を映写し、撮影手段がその映写された画像をそれらの障害物を避けて、撮影するので、それらの障害物があってもマイクロフォンの存在位置を判断できる。特に自動車内などの移動体内において後部座席の歌唱者がカラオケ歌唱する場合には、マイクロフォンと撮影手段との間に例えば前部座席やヘッドレストなどの障害物があるのでより効果的である。また、自動車内などの移動体内における天井には外部からの光が射し込みにくいので、マイクロフォンに設けた映像手段が自動車内などの移動体内における天井に画像を映写し、撮影手段がその映写された画像をそれらの障害物を避けて、撮影するので、より効果的である。
【００３３】
なお、第１の画像及び第２の画像は、前記第１の映像手段及び第２の映像手段が天井の面に対して略垂直に映写したときに特定の図形を有する画像であり、且つ第１の周波数及び第２の周波数を有する光を用いて映写される画像であるとよい。
【００３４】
すなわち、請求項４に記載のように、第１の映像手段は、第１の周波数を有する光を用いて映写され、天井の面に対して略垂直に映写したときに特定の図形を有する第１の特定画像を第１の画像として天井に映写し、第２の映像手段は、第２の周波数を有する光を用いて映写され、天井の面に対して略垂直に映写したときに特定の図形を有する第２の特定画像を第２の画像として天井に映写する。
【００３５】
さらに、撮影手段によって出力された画像信号から第１の周波数を有する光の画像信号のみを抽出する第１の抽出手段（３５，３７）と、撮影手段によって出力された画像信号から第２の周波数を有する光の画像信号のみを抽出する第２の抽出手段（３５，３７）と、第１の画像抽出手段によって抽出された画像信号に基づいて第１の周波数を有する光の画像の位置と形状とを検出するとともに、第２の抽出手段によって抽出された画像信号に基づいて第２の周波数を有する光の画像の位置と形状とを検出する検出手段（１２）とを備える。
【００３６】
そして、判断手段（１２）は、検出手段によって検出された画像の位置と形状とに基づいて第１の映像手段の位置及び第２の映像手段の位置が第１の領域内もしくは第２の領域内に存在するか否かを判断するとよい。
【００３７】
このように構成されたカラオケ装置によれば、次のような作用効果を奏する。すなわち、第１の映像手段は、第１の周波数を有する光を用いて映写され、天井の面に対して略垂直に映写したときに特定の図形を有する第１の特定画像を第１の画像として天井に映写し、第２の映像手段は、第２の周波数を有する光を用いて映写され、天井の面に対して略垂直に映写したときに特定の図形を有する第２の特定画像を第２の画像として天井に映写する。そして、撮影手段が、その天井に映写された画像を撮影し、その撮影した画像に基づいて画像信号を出力する。
【００３８】
そして、第１の抽出手段が、その出力した画像信号から第１の周波数を有する光の画像信号のみを抽出する。第２の抽出手段が、その出力した画像信号から第２の周波数を有する光の画像信号のみを抽出する。検出手段が、第１の画像抽出手段によって抽出された画像信号に基づいて第１の周波数を有する光の画像の位置と形状とを検出するとともに、第２の抽出手段によって抽出された画像信号に基づいて第２の周波数を有する光の画像の位置と形状とを検出する。判断手段が、その検出された第１の周波数及び第２の周波数を有する光の画像の位置と形状とに基づいて第１の映像手段の位置及び第２の映像手段の位置が第１の領域内もしくは第２の領域内に存在するか否かを判断する。
【００３９】
例えば第１の映像手段及び第２の映像手段が、前記天井の面に対して略垂直に映写したときに画像が有する特定の図形を略円形とする。すると、天井に映写された図形が略円形であれば、その略円形が映写されている天井の略垂直な下方の位置にその映像手段が存在すると推測できる。また、天井に映写された図形が略楕円形であれば、その略楕円形が映写されている天井の略垂直な下方の位置から離れた位置にその映像手段が存在すると推測できる。
【００４０】
そして、その略楕円形の長径と短径との比率と、長径方向もしくは短径方向の向きを測定し、その略楕円形が映写されている天井の略垂直な下方の位置からの水平面上の方向と、その天井の略垂直な方向に対する角度とを計算すれば、その映像手段が存在する位置を推測できる。さらに具体的に説明すると、例えば表示手段に向かって表示画面の左右略中央であって、表示画面外の上部に撮影手段が配置されている場合に、設置領域内を撮影した画像の形状が略楕円であり、その長径の向きが略水平方向であれば、その略楕円形が映写されている天井の略垂直な下方の位置からから略水平方向に移動した位置に映像手段が存在すると推測できる。また、その略楕円形の長径と短径との比率を測定し、その略楕円形が映写されている天井の略垂直な方向に対する角度を計算すれば、その映像手段が存在する位置を推測できる。
【００４１】
したがって、判断手段が、第１の映像手段の位置及び第２の映像手段の位置が第１の領域内もしくは第２の領域内に存在するか否かを判断できる。
また、第１の映像手段及び第２の映像手段は、マイクロフォンが略垂直に保持され、外部からの音声を受ける際に、第１の周波数を有する光及び第２の周波数を有する光を用いてマイクロフォンの略上方向の天井に第１の画像及び第２の画像を映写できるとよい。
【００４２】
すなわち、請求項５に記載のように、第１の映像手段は、第１の周波数を有する光を発する第１の発光部（４６３）と、第１のマイクロフォンが略垂直に保持され、外部からの音声を受ける際に、発光部から発した光を用いて第１のマイクロフォンの上方の天井に第１の特定画像を映写する第１の映写口（４５３，４６１）とを備える。第２の映像手段は、第２の周波数を有する光を発する第２の発光部（４６３）と、第２のマイクロフォンが略垂直に保持され、外部からの音声を受ける際に、発光部から発した光を用いて第２のマイクロフォンの上方の天井に第２の特定画像を映写する第２の映写口（４５３，４６１）とを備えるとよい。
【００４３】
このように構成されたカラオケ装置によれば、次のような作用効果を奏する。すなわち、第１の映像手段が備える第１の発光部が第１の周波数を有する光を発し、第２の映像手段が備える第２の発光部が第２の周波数を有する光を発する。そして、マイクロフォンが略垂直に保持され、外部からの音声を受ける際に、映写口が、発光部から発した光を用いてマイクロフォンの上方の天井に画像を映写するように構成されている。例えばマイクロフォンが略球体の一部を有する受音部と、その受音部に接続する握り手部とを備えている場合には、外部からの音声を受音する際には、一般的に利用者は受音部を持たずに、握り手部を持つ。よって、本発明では映写口を利用者によって持たれることが少ない受音部に設けた。そして、映写口が、発光部から発した光を用いてマイクロフォンの上方の天井に画像を映写できるので、例えば歌唱者が、マイクロフォンに設けられた映像手段を天井の方へ向けて握り手部を意識的に持つ必要がない。したがって、歌唱者は、マイクロフォンの握り手部を持ちやすいように自由に持つことができるので、カラオケを集中して楽しむことができる。
【００４４】
また、上述したようなマイクロフォンを既存のカラオケ装置へ付加できるように、マイクロフォン単体として構成されるとよい。
すなわち、請求項６に記載のように、マイクロフォン（４５）は、マイクロフォンに設けられ、第１の周波数または第２の周波数のいずれか一方を有する光を発する発光部（４６３）と、マイクロフォンが略垂直に保持され、外部からの音声を受ける際に、発光部から発した光を用いて前記マイクロフォンの上方の天井に画像を映写し、且つ天井の面に対して略垂直に映写したときに特定の図形を有する画像を映写する映写口（４５３，４６１）とを備えるとよい。
【００４５】
このように構成された本発明のマイクロフォンによれば、既存のカラオケ装置を本発明のカラオケ装置の構成になるように改造して、本発明のマイクロフォンを付加することで、次のような作用効果を奏する。すなわち、映写口が、発光部から発した光を用いてマイクロフォンの上方の天井に画像を映写できるので、例えば歌唱者が、マイクロフォンに設けられた映像手段を天井の方へ向けて握り手部を意識的に持つ必要がない。したがって、歌唱者は、マイクロフォンの握り手部を持ちやすいように自由に持つことができるので、カラオケを集中して楽しむことができる。
【００４６】
また、第１の画像及び第２の画像は、第１の映像手段及び第２の映像手段が天井の面に対して略垂直に映写したときに第１の図形及び第２の図形を有する画像でもよい。
すなわち、請求項７に記載のように、第１の映像手段（５７ａ）は、天井の面に対して略垂直に映写したときに第１の図形を有する画像を第１の画像として天井に映写し、第２の映像手段（５７ｂ）は、天井の面に対して略垂直に映写したときに第２の図形を有する画像を第２の画像として天井に映写する。
【００４７】
さらに、撮影手段によって出力された画像信号に基づいて第１の図形の特徴を有する画像の位置と形状とを検出するとともに、第２の図形の特徴を有する画像の位置と形状とを検出する図形検出手段（１２）を備える。
【００４８】
そして、判断手段（１２）は、図形検出手段によって検出された第１の図形の特徴及び第２の図形の特徴を有する画像の位置と形状とに基づいて第１の映像手段の位置及び第２の映像手段の位置が第１の領域内もしくは第２の領域内に存在するか否かを判断するとよい。
【００４９】
このように構成されたカラオケ装置によれば、次のような作用効果を奏する。すなわち、第１の映像手段は、天井の面に対して略垂直に映写したときに第１の図形を有する画像を第１の画像として天井に映写し、第２の映像手段は、天井の面に対して略垂直に映写したときに第２の図形を有する画像を第２の画像として天井に映写する。そして、撮影手段が、その天井に映写された画像を撮影し、その撮影した画像に基づいて画像信号を出力する。図形検出手段が、その出力した画像信号に基づいて第１の図形の特徴を有する画像の位置と形状とを検出するとともに、第２の図形の特徴を有する画像の位置と形状とを検出する。判断手段が、その検出された第１の図形の特徴及び第２の図形の特徴を有する画像の位置と形状とに基づいて第１の映像手段の位置及び第２の映像手段の位置が第１の領域内もしくは第２の領域内に存在するか否かを判断する。
【００５０】
例えば第１の映像手段が、天井の面に対して略垂直に映写したときに画像が有する第１の図形を略円形とし、第２の映像手段が、天井の面に対して略垂直に映写したときに画像が有する第２の図形を略円環形とする。すると、天井に映写された図形が略円形であれば、その略円形が映写されている天井の略垂直な下方の位置に第１の映像手段が存在すると推測できる。また、天井に映写された図形が略円環形であれば、その円環形が映写されている天井の略垂直な下方の位置に第２の映像手段が存在すると推測できる。そして、天井に映写された図形が略楕円形であれば、その略楕円形が映写されている天井の略垂直な下方の位置から離れた位置に第１の映像手段が存在すると推測できる。そして、その略楕円形の長径と短径との比率と、長径方向もしくは短径方向の向きを測定し、その略楕円形が映写されている天井の略垂直な下方の位置からの水平面上の方向と、その天井の略垂直な方向に対する角度とを計算すれば、第１の映像手段が存在する位置を推測できる。
【００５１】
一方、天井に映写された図形が略円環形であれば、その略円環形が映写されている天井の略垂直な下方の位置から離れた位置に第２の映像手段が存在すると推測できる。そして、その略円環形の外周の長径と短径との比率と、長径方向もしくは短径方向の向きを測定し、その略円環形が映写されている天井の略垂直な下方の位置からの水平面上の方向と、その天井の略垂直な方向に対する角度とを計算すれば、第２の映像手段が存在する位置を推測できる。
【００５２】
したがって、第１の映像手段の位置及び第２の映像手段の位置が第１の領域内もしくは第２の領域内に存在するか否かを判断手段が判断できる。
そして、特に子供には大人向けの背景映像を見せないようにしながら、大人はその背景映像を見ることができるようにするとよい。
【００５３】
すなわち、請求項８に記載のように、制御手段は、第１のマイクロフォン及び第２のマイクロフォンの存在位置と、第１の表示方向及び第２の表示方向との対応関係に基づき、第１のマイクロフォン及び第２のマイクロフォンの存在位置が、それぞれ異なる前記表示方向に対応している場合には、前記第１の表示方向に表示するための映像内容と、前記第２の表示方向に表示するための映像内容とを異なるものに決定し、そうでない場合には、前記第１の表示方向に表示するための映像内容を、前記第２の表示方向に表示するための映像内容と同一のものに決定するとよい。
【００５４】
すなわち、請求項８に示すように、制御手段が第１のマイクロフォン及び第２のマイクロフォンの存在位置と、第１の表示方向及び第２の表示方向との対応関係に基づき、第１のマイクロフォン及び第２のマイクロフォンの存在位置が、それぞれ異なる前記表示方向に対応している場合には、第１の表示方向に表示するための映像内容と、第２の表示方向に表示するための映像内容とを異なるものに決定する。一方、そうでない場合には、第１の表示方向に表示するための映像内容を、第２の表示方向に表示するための映像内容と同一のものに決定するのである。
【００５５】
このように構成されたカラオケ装置によれば、特に子供には大人向けの背景映像を見せないようにしながら、大人はその背景映像を見ることができる。なお、第１の歌唱者と第２の歌唱者の関係については、特に大人と子供という関係のみに限定されるわけではなく、例えば男性と女性であってもよいし、上司と部下など、種々の関係が考えられる。
【発明を実施するための最良の形態】
【００５６】
以下に本発明の実施形態を図面とともに説明する。
［第１実施形態］
図１は、第１実施形態のカラオケ装置１の構成を示すブロック図である。
【００５７】
［カラオケ装置１の構成の説明］
カラオケ装置１は、図１に示すように、カラオケ装置１全体の動作を制御する制御部１２と、カラオケ装置１をネットワーク１００に接続するためのインタフェース部１４と、演奏楽曲の伴奏内容及び歌詞を示す楽曲データや映像データなどを記憶するハードディスク（ＨＤＤ）１６と、複数のキー・スイッチからなる操作部１８と、リモコン端末２や携帯電話からの赤外線信号を赤外線通信によって受信するための赤外線通信部２０と、操作部１８からの信号を処理する操作処理部２２と、ＨＤＤ１６に記憶された楽曲データから演奏楽曲のオーディオ信号を生成し、生成されたオーディオ信号及びマイクロフォン（以下、マイクという）２５ａ，２５ｂを介して入力された歌唱音声信号を増幅してスピーカ２８へ出力する音声制御部２４と、音声制御部２４によってＨＤＤ１６から取得されたカラオケ楽曲データ（演奏データ）に基づくカラオケ演奏を行うＭＩＤＩ音源３０と、制御部１２によってＨＤＤ１６から取得された映像データを一時的に記憶するビデオＲＡＭ３２，３３と、ビデオＲＡＭ３２，３３に記憶された映像データに基づく映像再生及びその再生される映像の表示部３６での表示を制御する映像制御部３８と、赤外光を放射する赤外光発光部２７ａ、２７ｂと、赤外光発光部２７ａ、２７ｂへ赤外光変調信号をそれぞれ出力する赤外光送信部１２１と、赤外光発光部２７ａ、２７ｂから放射された赤外光を撮影し、その撮影した画像信号を出力する受光カメラ３４と、その出力された画像信号から赤外光の画像信号のみを抽出する赤外光抽出部３５と、この抽出された画像信号を２値化する２値化部３７とを備えている。
【００５８】
そして、制御部１２、インタフェース部１４、ＨＤＤ１６、赤外線通信部２０、操作処理部２２、ビデオＲＡＭ３２，３３、映像制御部３８は、各々バス３９によって接続されている。また、制御部１２と音声制御部２４とはＵＳＢ４０によって接続されている。なお、制御部１２は、後述する各種処理を実行する。
【００５９】
ＨＤＤ１６には、このカラオケ装置１の動作を制御するシステムプログラム、アプリケーションプログラム等が記憶されており、カラオケ装置１の電源がオンされて起動されると、これらのプログラムが制御部１２に読み込まれる。
【００６０】
また、上述のようにＨＤＤ１６には、楽曲データが記憶されている。楽曲データとは、演奏楽曲の伴奏内容及び歌詞を示すデータである。この楽曲データは、図７に例示するように、楽曲に関する管理情報を記憶しているヘッダ情報部、曲のタイトルを画像表示する際に用いるタイトル画像情報を記憶しているタイトルデータ部、楽曲演奏用のＭＩＤＩデータを記憶しているＭＩＤＩデータ部によって構成されている。
【００６１】
この内、ヘッダ情報部は、ＭＩＤＩデータサイズとタイトルデータサイズを含んでいる。また、ＭＩＤＩデータ部は、前奏部分のＭＩＤＩデータ、タイトル消去を示すデータ、１コーラス目に対応するＭＩＤＩデータ、１コーラス終了を示すデータ、２コーラス目に対応するＭＩＤＩデータ、２コーラス終了を示すデータ、３コーラス目に対応するＭＩＤＩデータ、後奏であることを示すデータ、後奏部分のＭＩＤＩデータによって構成されている。
【００６２】
カラオケ演奏時等にマイク２５ａ，２５ｂから入力された歌唱音声信号は、音声制御部２４において増幅及びＡ／Ｄ変換される。そして、エコー等の音響効果が付加された後、カラオケ演奏音の信号とミキシングされてスピーカ２８へ出力される。上述したマイク２５ａ，２５ｂは、大人用マイク２５ａと子供用マイク２５ｂである。
【００６３】
この大人用マイク２５ａと子供用マイク２５ｂには、それぞれ赤外光発光部２７ａ，２７ｂが設けられている。
受光カメラ３４は、表示部３６の表示画面外で表示画面の横方向の略中央の上部に配置されている。
【００６４】
一方、映像の再生に関して、制御部１２はＨＤＤ１６に記憶されている背景映像に関する映像データをビデオＲＡＭ３２，３３へ出力し、映像制御部３８を制御することで、この映像データを再生して表示部３６に表示する。ここで、背景映像には、カラオケ曲のジャンルや内容によって、大人向けの映像が含まれている場合と、元々そのような大人向けの映像が含まれない場合とがある。そして、大人向けの映像が含まれる背景映像に関しては、大人向けの映像が含まれた映像データと、そのような大人向けの映像が含まれない映像データの２種類の映像データがセットになっている。
【００６５】
そして、映像出力に関する構成、赤外光放射及び赤外光撮影に関する構成、赤外光発光部２７ａ，２７ｂの構成及び受光カメラ３４の構成の順に以下説明する。
［映像出力に関する構成の説明］
まず、映像出力に関する構成を説明する。図２は映像出力に関する構成と、赤外光放射及び赤外光撮影に関する構成を示すブロック図である。
【００６６】
表示部３６は、例えばデュアルビューディスプレイなどと称される、見る方向によって異なる映像を表示可能な液晶表示器を用いて構成されている。このような表示器は、例えば特開２００２−９９２２３号公報や特開２００５−８４２９９号公報などによって公知になっている。本実施形態では、右画面及び左画面にそれぞれ別の映像を表示することによって、図９に示すように、右方向から見ると右画像、左方向から見ると左画像が見えることとなる。なお、中央付近から見ると、左右の画像が混ざった画像として見えることとなる。
【００６７】
このようなデュアルビュー表示のため、映像制御部３８は、図２に示すように、第１ＶＧＡ部３８１と、第２ＶＧＡ部３８２と、切替スイッチ部３８３と、第１映像出力部３８４と、第２映像出力部３８５とを備えている。第１ＶＧＡ部３８１はビデオＲＡＭ３２に記憶された映像データに基づく映像再生を司るものであり、同様に、第２ＶＧＡ部３８２はビデオＲＡＭ３３に記憶された映像データに基づく映像再生を司るものである。そして、これら第１ＶＧＡ部３８１及び第２ＶＧＡ部３８２は、切替スイッチ部３８３を介して、第１映像出力部３８４及び第２映像出力部３８５と接続されている。第１映像出力部３８４は表示部３６の右画面への映像表示を司り、第２映像出力部３８５は表示部３６の左画面への映像表示を司るものである。
【００６８】
切替スイッチ部３８３は、４つのスイッチＳ１，Ｓ２，Ｓ３，Ｓ４から構成されており、これらのスイッチＳ１，Ｓ２，Ｓ３，Ｓ４のＯＮ／ＯＦＦを切り替えることによって、以下の４パターンの接続を実現することができるようにされている。
【００６９】
（１）第１ＶＧＡ部３８１と第１映像出力部３８４を接続し、第２ＶＧＡ部３８２と第２映像出力部３８５とを接続する。この場合は、スイッチＳ１，Ｓ２がＯＮであり、スイッチＳ３，Ｓ４がＯＦＦである。
【００７０】
（２）第１ＶＧＡ部３８１と第２映像出力部３８５を接続し、第２ＶＧＡ部３８２と第１映像出力部３８４とを接続する。この場合は、スイッチＳ１，Ｓ２がＯＦＦであり、スイッチＳ３，Ｓ４がＯＮである。
【００７１】
（３）第１ＶＧＡ部３８１と第１映像出力部３８４及び第２映像出力部３８５とを接続する。この場合は、スイッチＳ１，Ｓ３がＯＮであり、スイッチＳ２，Ｓ４がＯＦＦである。
【００７２】
（４）第２ＶＧＡ部３８２と第１映像出力部３８４及び第２映像出力部３８５とを接続する。この場合は、スイッチＳ１，Ｓ３がＯＦＦであり、スイッチＳ２，Ｓ４がＯＮである。
【００７３】
この切替スイッチ部３８３の４つのスイッチＳ１，Ｓ２，Ｓ３，Ｓ４のＯＮ／ＯＦＦの切替については、制御部１２によって制御可能であり、例えば、制御部１２は、（イ）「ビデオＲＡＭ３２に記憶された映像データを表示部３６の右画面に表示させ、ビデオＲＡＭ３３に記憶された映像データを表示部３６の左画面に表示させる」パターン、（ロ）「ビデオＲＡＭ３２に記憶された映像データを表示部３６の左画面に表示させ、ビデオＲＡＭ３３に記憶された映像データを表示部３６の右画面に表示させる」パターン、（ハ）「ビデオＲＡＭ３２に記憶された映像データを表示部３６の左右両画面に表示させる」パターン、（ニ）「ビデオＲＡＭ３３に記憶された映像データを表示部３６の左右両画面に表示させる」パターンを任意に切替制御することができる。
【００７４】
［赤外光放射及び赤外光撮影に関する構成の説明］
次に、赤外光放射及び赤外光撮影に関する構成を説明する。
図２に示すように、赤外光発光部２７ａは大人用マイク２５ａに設けられ、赤外光発光部２７ｂは子供用マイク２５ｂに設けられているため、大人用の構成要素の符号については数字の後に英字ａを付し、子供用の構成要素の符号については数字の後に英字ｂを付けて区別することとし、特に必要のない限り「大人用」「子供用」とは記載しない。
【００７５】
赤外光発光部２７ａと赤外光発光部２７ｂとは、制御部１２内部の構成である赤外光送信部１２１に接続されている。
赤外光発光部２７ａは、赤外光送信部１２１から出力された赤外光変調信号を入力すると第１の赤外光を放射する。また、赤外光発光部２７ｂは、赤外光送信部１２１から出力された赤外光変調信号を入力すると第２の赤外光を放射する。
【００７６】
第１の赤外光と第２の赤外光とは、その赤外光の搬送周波数が相違している。すなわち、第１の赤外光は、第１の搬送周波数で変調された赤外光であり、第２の赤外光は、第２の搬送周波数で変調された赤外光である。つまり、第１の赤外光と第２の赤外光とは、第１の搬送周波数と第２の搬送周波数とでそれぞれ点滅された赤外光である。なお、第１の搬送周波数と第２の搬送周波数とを、例えばそれぞれ３６ｋＨｚと４０ｋＨｚとする。
【００７７】
以上により、カラオケ装置１は次のような処理を行なう。
まず、受光カメラ３４は、赤外光発光部２７ａが放射する第１の赤外光及び赤外光発光部２７ｂが放射する第２の赤外光を撮影し、その撮影した赤外光に基づいて画像信号を赤外光抽出部３５へ出力する。そして、赤外光抽出部３５は、その画像信号から第１の赤外光の画像信号のみを抽出するとともに第２の赤外光の画像信号のみを抽出し、その抽出されたそれぞれの画像信号を２値化部３７へ出力する。なお、赤外光抽出部３５による、特定の周波数範囲の画像信号を通過させたり阻止したりする抽出処理技術は、公知技術にしたがっているのでここではその詳細な説明は省略する。
【００７８】
そして、２値化部３７は、それぞれの画像信号を２値化し、その２値化されたそれぞれの画像信号を制御部１２へ出力する。なお、２値化部３７による、濃淡のある画像を白と黒だけで中間のグレーの階調のない２値画像に変換する２値化処理技術については、公知技術にしたがっているのでここではその詳細な説明は省略する。そして、制御部１２が、その２値化されたそれぞれの画像信号に基づいて赤外光発光部２７ａの位置及び赤外光発光部２７ｂの位置を判断する。
【００７９】
また、赤外光発光部２７ａを設けた大人用マイク２５ａと赤外光発光部２７ｂを設けた子供用マイク２５ｂとは、カラオケ装置１の本体へ接続されるのであるが、図２においては図示しない。
【００８０】
［赤外光発光部２７ａ，２７ｂの構成の説明］
次に、赤外光発光部２７ａ，２７ｂの構成を説明する。
赤外光発光部２７ａ、２７ｂは、上述したように大人用マイク２５ａ及び子供用マイク２５ｂにそれぞれ設けられているが、後述する発光部から放出する赤外光の搬送周波数を除いた構成はそれぞれ同一である。そこで、赤外光発光部２７ａ、２７ｂと、大人用マイク２５ａ及び子供用マイク２５ｂとの構成要素の符号については数字の後に英字ａ，ｂを付さないで以下説明する。
【００８１】
図３（ａ）は赤外光発光部２７が設けられているマイク２５の外観を示す斜視図であり、図３（ｂ）はそのマイク２５の縦断面図である。
マイク２５は、略球体の一部を有する受音受光部２５０と、その受音受光部２５０に接続する握り手部２５６と、カラオケ装置１の本体へ接続するための端子部２５７とを備えている。
【００８２】
受音受光部２５０は、図３（ａ）に示すように、上部２５１と、透光部２５３と、下部２５５とを備えている。以下、順に説明する。
上部２５１は、マイク２５の内部を保護する金網と、その金網の内側に取り付けられる遮光性を有する例えばゴム製のスポンジシート材などの防風部材とからなり、円蓋状の形状をなし、外部からの音声を内部へ導入する。
【００８３】
透光部２５３は、例えばガラスまたは樹脂成型品などの透明な材料からなり、リング状の形状をなし、その円縁一端部を上部２５１の円縁端部に接続し、内部からの光を外部へ放射する。
【００８４】
下部２５５は、マイク２５の内部を保護する金網と、その金網の内側に取り付けられる遮光性を有する例えばゴム製のスポンジシート材などの防風部材とからなり、円蓋状の形状をなし、その円縁端部を透光部２５３の円縁他端部に接続し、外部からの音声を内部へ導入する。
【００８５】
握り手部２５６は、板金または樹脂成型品からなり、先端を切り落とした円錐状の形状をなし、その直径が大きい側の円縁一端部を下部２５５の頭頂部に接続している。そして、握り手部２５６の円縁他端部側には、受音受光部２５０と端子部２５７とを接続するためのケーブル２５８が設けられている。
【００８６】
また、受音受光部２５０は、図３（ｂ）に示すように、第１の赤外光または第２の赤外光のいずれか一方を放出する発光部２６３と、発光部２６３から放出された赤外光を屈曲させて平行にするための凸レンズ２６１と、マイク２５が略垂直に保持され、外部からの音声を受ける際に、この凸レンズ２６１によって平行にされた赤外光をマイク２５の略水平方向へ放射する反射体２５９と、上部２５１または下部２５５によって内部へ導入された音声を受ける受音部２６５とを備えている。なお、発光部２６３とケーブル２５８とを接続するためのケーブル（図示しない）と、受音部２６５とケーブル２５８とを接続するためのケーブル（図示しない）とが設けられている。
【００８７】
そして、赤外光発光部２７は、図３（ｂ）に示すように、透光部２５３、反射体２５９、凸レンズ２６１及び発光部２６３から構成されている。
次に、発光部２６３、凸レンズ２６１、反射体２５９及び受音部２６５について説明する。
【００８８】
発光部２６３は、赤外光送信部１２１から出力された赤外光変調信号を入力すると第１の赤外光または第２の赤外光のいずれか一方を放出する例えば赤外線発光ダイオードや赤外線ランプなどの発光器で構成される。
【００８９】
凸レンズ２６１は、例えばガラスまたは樹脂成型品などの透明な材料からなり、凸状の形状をなし、発光部２６３から放出された赤外光を屈曲させて凸レンズ２６１の軸心に対して平行にする。
【００９０】
反射体２５９は、金属または樹脂成型品からなり、略円錐状の形状をなし、この略円錐状の表面部には、赤外光を反射するための加工処理が施されている。なお、この略円錐状の形状は、軸心に対して直交する円の直径が軸方向の位置の変化に対して１次関数的に減少して形成される面であってもよいし、２次関数的に減少して形成される面であってもよい。ここで、１次関数的とはこの略円錐状の面の軸心に対して直交する方向へ投影してなる外縁が略直線であることを指し、２次関数的とはこの略円錐状の面の軸心に対して直交する方向へ投影してなる外縁が星芒形（アステロイド）などの曲線も含むことを指す。
【００９１】
前記１次関数的に減少して形成される面の場合には、平行に入射した赤外光を反射して平行に放射するが、前記２次関数的に減少して形成される面の場合には、平行に入射した赤外光を反射して集光するように放射する。つまり、同じ平行に入射した光であれば、１次関数的に減少して形成される面の場合に比べると２次関数的に減少して形成される面の場合の方が、略水平方向へ放射する赤外光による照度を高くできる。
【００９２】
上述のように、赤外光発光部２７は、マイク２５が略垂直に保持され、外部からの音声を受ける際に、発光部２６３から放出する赤外光をマイク２５の略水平方向へ放射できる。
【００９３】
受音部２６５は、音を受けて音声信号を出力するダイナミック型（導電型）マイクロフォンでもよいし、コンデンサー型（静電型）マイクロフォンでもよい。
なお、大人用マイク２５ａと子供用マイク２５ｂを制御部１２がどのように識別するかについては、例えば下記のような工夫が考えられる。
【００９４】
（Ａ）大人用マイク２５ａと子供用マイク２５ｂを固定的にカラオケ装置１の本体に接続する。この場合は、制御部１２は確実に両者を区別できる。
（Ｂ）マイクを接続するためのジャック位置を決めておく。例えば２本のマイクジャックをカラオケ装置１の本体に準備し、例えば大人用マイク２５ａは右側のジャック、子供用マイク２５ｂは左側のジャックに接続するようにする。この場合、例えばマイクピンの形状及びマイクジャックの形状を大人用と子供用で異なるものとし、それぞれ対応するマイクジャックにしかマイクピンを差し込めないようにすれば、両者を間違えて接続することはなくなる。
【００９５】
（Ｃ）マイクをジャックに接続した際に、電気的あるいは機械的に検出するようにしてもよい。機械的に検出する場合には、マイクピンの形状を変更することとなる。
［受光カメラ３４の構成の説明］
次に、受光カメラ３４の構成を説明する。図４（ａ）はカラオケルーム４９内において赤外光発光部２７ａ，２７ｂによって放射された赤外光を受光カメラ３４が撮影する様子を上方から見た図であり、図４（ｂ）はその斜視図であり、図４（ｃ）は受光カメラ３４が撮影した画像を示す説明図である。さらに詳しくは、図４（ａ）は表示部３６の表示画面に向かって右側の領域（以下、右領域とも称す）、左側の領域（以下、左領域とも称す）及び中央の領域（以下、中央領域とも称す）を有するカラオケルーム４９内において右領域に大人の利用者が存在し、左領域に子供の利用者が存在している様子を示している。そして、図４（ｂ）は大人用マイク２５ａに設けられた赤外光発光部２７ａによって放射された第１の赤外光と、子供用マイク２５ｂに設けられた赤外光発光部２７ｂによって放射された第２の赤外光とを受光カメラ３４が撮影する様子を示している。また、図４（ｃ）は受光カメラ３４が撮影した画像において赤外光発光部２７ａが右領域に存在し、赤外光発光部２７ｂが左領域に存在している様子を示している。
【００９６】
なお、以下の説明においては、表示部３６の表示画面を歌唱者から見た場合の表示画面側（図４（ａ）の下側）を「前」、歌唱者側（図４（ａ）の上側）を「後」、右側（図４（ａ）の左側）を「右」、左側（図４（ａ）の右側）を「左」とし、さらに天井４９ａ側（図４（ｃ）の上側）を「上」、床４９ｂ側（図４（ｃ）の下側）を「下」として説明する。
【００９７】
受光カメラ３４は、図４（ｂ）に示すように、表示部３６の表示画面３６ａ外で表示画面３６ａの横方向の略中央の上部に配置されている。
そして、受光カメラ３４は、例えば魚眼レンズを装着したビデオカメラなどの動画撮影機器によって構成されている。このように構成された受光カメラ３４によれば、図４（ａ）に示すように、カラオケルーム４９内における右領域に存在する大人用マイク２５ａに設けられた赤外光発光部２７ａよって放射された第１の赤外光と、左領域に存在する子供用マイク２５ｂに設けられた赤外光発光部２７ｂによって放射された第２の赤外光とを撮影できる。
【００９８】
なお、受光カメラ３４は、表示部３６の表示画面３６ａ外で表示画面３６ａの横方向の略中央の上部に配置されているが、これには限らない。表示部３６の表示画面３６ａの背後の上方に配置されてもよいし、表示画面３６ａの横方向の略中央より左方もしくは右方でもよいし、表示画面３６ａの下部でもよい。すなわち、カラオケルーム４９内に大人用マイク２５ａ及び子供用マイク２５ｂが存在する際に、赤外光発光部２７ａ及び赤外光発光部２７ｂによって放射された赤外光を撮影できる位置であればよい。
【００９９】
以上により、カラオケ装置１は次のような処理を行なう。
まず、上述した［赤外光放射及び赤外光撮影に関する構成の説明］のように、受光カメラ３４は、赤外光発光部２７ａが放射する第１の赤外光及び赤外光発光部２７ｂが放射する第２の赤外光を撮影し、その撮影した赤外光に基づいて画像信号を赤外光抽出部３５へ出力する。そして、赤外光抽出部３５はその画像信号から第１の赤外光の画像信号のみを抽出するとともに第２の赤外光の画像信号のみを抽出し、その抽出されたそれぞれの画像信号を２値化部３７へ出力する。次に、２値化部３７は、それぞれの画像信号を２値化し、その２値化されたそれぞれの画像信号を制御部１２へ出力する。
【０１００】
そして、制御部１２が、その２値化されたそれぞれの画像信号に基づいて赤外光発光部２７ａの位置及び赤外光発光部２７ｂの位置を判断する。すなわち、２値化された第１の赤外光の画像信号においては赤外光発光部２７ａの画像のみが表示されるので、赤外光発光部２７ａの位置が右領域内、左領域内及び中央領域内のいずれかに存在するかを判断できる。例えば図４（ｃ）に示すように、赤外光発光部２７ａが右領域に存在すると判断できる。また、２値化された第２の赤外光の画像信号においては赤外光発光部２７ｂの画像のみが表示されるので、赤外光発光部２７ｂの位置が右領域内、左領域内及び中央領域内のいずれかに存在するかを判断できる。例えば図４（ｃ）に示すように、赤外光発光部２７ｂが左領域に存在すると判断できる。
【０１０１】
なお、大人用マイク２５ａが「第１のマイクロフォン」に相当し、子供用マイク２５ｂが「第２のマイクロフォン」に相当する。表示部３６が「表示手段」に相当し、制御部１２が「制御手段」及び「判断手段」に相当し、赤外光発光部２７ａ，２７ｂが「第１の発光手段」、「第２の発光手段」にそれぞれ相当し、受光カメラ３４が「撮影手段」に相当する。赤外光抽出部３５と２値化部３７とが「第１の抽出手段」及び「第２の抽出手段」に相当し、ＨＤＤ１６が「記憶手段」に相当し、凸レンズ２６１と反射体２５９とが「第１の反射体」、「第２の反射体」及び「反射体」に相当する。
【０１０２】
以下、カラオケ装置１の制御部１２が実行する各種処理を説明する。
［背景映像の表示制御処理の説明］
カラオケ装置１の制御部１２が実行する背景映像の表示制御処理について図５、図６のフローチャート等に基づいて説明する。
【０１０３】
図５に示すフローチャートは、所定のカラオケ楽曲が選択されている場合の制御処理全体を示している。ここで、「所定のカラオケ楽曲」とは、背景映像に大人向けの映像内容が含まれているような楽曲である。曲番号と、この「所定のカラオケ楽曲」か否かを示す情報（例えばフラグ）との対応関係を示すテーブルがＨＤＤ１６に記憶されている、したがって、操作部１８で受け付けたカラオケ演奏楽曲の選曲番号のデータは操作処理部２２によって制御部１２へ送信されるのであるが、制御部１２は、操作処理部２２から選曲番号のデータを受信すると、上述の対応関係を示すテーブルをＨＤＤ１６から読み出して参照することで、「所定のカラオケ楽曲」か否かを判定し、「所定のカラオケ楽曲」であれば、図５のフローチャートに示す処理を開始する。
【０１０４】
なお、「所定のカラオケ楽曲」以外の場合のカラオケ楽曲が選択された場合の処理については、ここでは省略する。
図５のフローチャートに示す処理が開始すると、まず曲のタイトルを表示部３６へ表示する（Ｓ１０）。このタイトル表示は、楽曲データ中に含まれているタイトルデータを用いて行う。図５のＳ１０では、図７に示す楽曲データ曲中のヘッダ情報の次に含まれているタイトルデータを読み出し、表示部３６へ表示する。Ｓ１０の処理が終了したらＳ２０の処理へ移行する。
【０１０５】
Ｓ２０の処理においては、背景映像出力処理（１）を実行する。この背景映像出力処理（１）は、後述するＳ５０の処理において演奏終了するまで、繰り返し実行される。また、この背景映像出力処理（１）の詳細については、図６のフローチャートを参照して後で説明する。Ｓ２０の処理が終了したらＳ３０の処理へ移行する。
【０１０６】
Ｓ３０の処理においては、カラオケ演奏を開始する。ここでいうカラオケ演奏の開始とは、図７に示す楽曲データ中のＭＩＤＩデータを再生出力させる処理である。Ｓ３０の処理が終了したらＳ５０の処理へ移行する。
【０１０７】
Ｓ５０の処理においては、演奏終了か否かを判断する。そして、演奏終了していないと判断した場合には（Ｓ５０：ＮＯ）、演奏終了するまで待機し、演奏終了したと判断した場合には（Ｓ５０：ＹＥＳ）、本処理を終了する。
【０１０８】
［背景映像出力処理（１）］
次に、図５のＳ２０に示す背景映像出力処理（１）の詳細について、図６のフローチャート及び図８を参照して説明する。
【０１０９】
図８（ａ）は、背景映像出力処理（１）及び後述する背景映像出力処理（２）における大人用マイク２５ａ及び子供用マイク２５ｂの位置と、左右画面の映像内容の対応関係を示す説明図であり、図８（ｂ）は、大人用マイク２５ａ及び子供用マイク２５ｂの位置と、切替スイッチ部３８３の４つのスイッチＳ１，Ｓ２，Ｓ３，Ｓ４のＯＮ／ＯＦＦ状態の対応関係を示す説明図である。
【０１１０】
まず、大人用マイク２５ａに設けられた赤外光発光部２７ａから第１の赤外光を放射し、子供用マイク２５ｂに設けられた赤外光発光部２７ｂから第２の赤外光を放射する（Ｓ
２１０）。Ｓ２１０の処理が終了したらＳ２２０の処理へ移行する。
【０１１１】
Ｓ２２０の処理においては、子供用マイク２５ｂの位置は右側か否かを判断する。具体的には、上述した［受光カメラ３４の構成の説明］のように子供用マイク２５ｂに設けられた赤外光発光部２７ｂの位置が右領域内に存在するか否かを判断する。そして、子供用マイク２５ｂの位置が右側であると判断した場合には（Ｓ２２０：ＹＥＳ）、Ｓ２３０の処理へ移行する。一方、子供用マイク２５ｂの位置が右側ではないと判断した場合には（Ｓ２２０：ＮＯ）、Ｓ２２５の処理へ移行する。
【０１１２】
Ｓ２３０の処理においては、子供用マイク２５ｂの位置は右側であると決定する。
Ｓ２２５の処理においては、子供用マイク２５ｂの位置は左側か否かを判断する。具体的には、上述した［受光カメラ３４の構成の説明］のように子供用マイク２５ｂに設けられた赤外光発光部２７ｂの位置が左領域内に存在するか否かを判断する。そして、子供用マイク２５ｂの位置が左側であると判断した場合には（Ｓ２２５：ＹＥＳ）、Ｓ２４０の処理へ移行する。一方、子供用マイク２５ｂの位置が左側ではないと判断した場合には（Ｓ２２５：ＮＯ）、Ｓ２５０の処理へ移行する。
【０１１３】
Ｓ２４０の処理においては、子供用マイク２５ｂの位置は左側であると決定する。
Ｓ２５０の処理においては、子供用マイク２５ｂの位置は中央であると決定する。
そして、Ｓ２３０の処理、Ｓ２４０の処理及びＳ２５０の処理のいずれかの処理が終了したらＳ２６０の処理へ移行する。
【０１１４】
Ｓ２６０の処理においては、大人用マイク２５ａの位置は右側か否かを判断する。具体的には、上述した［受光カメラ３４の構成の説明］のように大人用マイク２５ａに設けられた赤外光発光部２７ａの位置が右領域内に存在するか否かを判断する。そして、大人用マイク２５ａの位置が右側であると判断した場合には（Ｓ２６０：ＹＥＳ）、Ｓ２７０の処理へ移行する。一方、大人用マイク２５ａの位置が右側ではないと判断した場合には（Ｓ２６０：ＮＯ）、Ｓ２６５の処理へ移行する。
【０１１５】
Ｓ２７０の処理においては、大人用マイク２５ａの位置は右側であると決定する。
Ｓ２６５の処理においては、大人用マイク２５ａの位置は左側か否かを判断する。具体的には、上述した［受光カメラ３４の構成の説明］のように大人用マイク２５ａに設けられた赤外光発光部２７ａの位置が左領域内に存在するか否かを判断する。そして、大人用マイク２５ａの位置が左側であると判断した場合には（Ｓ２６５：ＹＥＳ）、Ｓ２８０の処理へ移行する。一方、大人用マイク２５ａ位置が左側ではないと判断した場合には（Ｓ２６５：ＮＯ）、Ｓ２９０の処理へ移行する。
【０１１６】
Ｓ２８０の処理においては、大人用マイク２５ａの位置は左側であると決定する。
Ｓ２９０の処理においては、大人用マイク２５ａの位置は中央であると決定する。
そして、Ｓ２７０の処理、Ｓ２８０の処理及びＳ２９０の処理のいずれかの処理が終了したらＳ３００の処理へ移行する。
【０１１７】
上述した処理において決定された、大人用マイク２５ａに設けられた赤外光発光部２７ａ及び子供用マイク２５ｂに設けられた赤外光発光部２７ｂそれぞれの存在位置に基づいて、図９に示す右映像が見える領域、左映像が見える領域、それらの間にある左右映像が混ざって見える領域のいずれに大人用マイク２５ａあるいは子供用マイク２５ｂが存在するかの対応関係を把握することができる。具体的には、図４（ａ）に示す右領域、左領域及び中央領域を、それぞれ図９に示す右映像が見える領域、左映像が見える領域及び左右映像が混ざって見える領域に対応させる。
【０１１８】
Ｓ３００の処理においては、子供用マイク２５ｂの位置が右側であり且つ大人用マイク２５ａの位置が左側であるか否か判断する。そして、子供用マイク２５ｂの位置が右側であり且つ大人用マイク２５ａの位置が左側であると判断した場合には（Ｓ３００：ＹＥＳ）、Ｓ３１０の処理へ移行する。一方、子供用マイク２５ｂの位置が右側ではない、または大人用マイク２５ａの位置が左側ではないと判断した場合には（Ｓ３００：ＮＯ）、Ｓ３２０の処理へ移行する。
【０１１９】
Ｓ３１０の処理においては、表示部３６の右画面に出力する映像は「非アダルト」、左画面に出力する映像は「アダルト」となるように制御する。本実施形態では、ビデオＲＡＭ３２に大人向けの「アダルト映像」が記憶されて第１ＶＧＡ部３８１へ供給され、他方のビデオＲＡＭ３３に子供向けの「非アダルト映像」が記憶されて第２ＶＧＡ部３８２へ供給されるように構成されている。そのため、具体的には、図８（ｂ）において大人用マイク２５ａの位置が右側で、子供用マイク２５ｂの位置が左側の場合に示すように、スイッチＳ１，Ｓ２がＯＮ且つスイッチＳ３，Ｓ４がＯＦＦとなるよう制御する。このようにすることで、第１ＶＧＡ部３８１と第１映像出力部３８４とが接続し、第２ＶＧＡ部３８２と第２映像出力部３８５とが接続する。したがって、ビデオＲＡＭ３２に記憶されたアダルト映像が表示部３６の右画面に表示され、ビデオＲＡＭ３３に記憶された非アダルト映像が表示部３６の左画面に表示されることとなる。
【０１２０】
Ｓ３１０の処理が終了したら図５のＳ５０の処理において演奏終了するまでは、Ｓ２１０の処理へ戻り、上述した処理へ移行する。
Ｓ３２０の処理においては、子供用マイク２５ｂの位置が左側であり且つ大人用マイク２５ａの位置が右側であるか否か判断する。そして、子供用マイク２５ｂの位置が左側であり且つ大人用マイク２５ａの位置が右側であると判断した場合には（Ｓ３２０：ＹＥＳ）、Ｓ３３０の処理へ移行する。一方、子供用マイク２５ｂの位置が左側ではない、または大人用マイク２５ａの位置が右側ではないと判断した場合には（Ｓ３２０：ＮＯ）、Ｓ３４０の処理へ移行する。
【０１２１】
Ｓ３３０の処理においては、表示部３６の右画面に出力する映像は「アダルト」、左画面に出力する映像は「非アダルト」となるようにする。具体的には、図８（ｂ）において大人用マイク２５ａの位置が左側で、子供用マイク２５ｂの位置が右側の場合に示すように、スイッチＳ１，Ｓ２がＯＦＦ且つスイッチＳ３，Ｓ４がＯＮとなるよう制御する。このようにすることで、第１ＶＧＡ部３８１と第２映像出力部３８５とが接続し、第２ＶＧＡ部３８２と第１映像出力部３８４とが接続する。したがって、ビデオＲＡＭ３２に記憶されたアダルト映像が表示部３６の左画面に表示され、ビデオＲＡＭ３３に記憶された非アダルト映像が表示部３６の右画面に表示されることとなる。
【０１２２】
Ｓ３３０の処理が終了したら図５のＳ５０の処理において演奏終了するまでは、Ｓ２１０の処理へ戻り、上述した処理へ移行する。
Ｓ３４０の処理においては、表示部３６の左右画面に出力する映像を共に「非アダルト」となるようにする。具体的には、図８（ｂ）において大人用マイク２５ａの位置が右側で、子供用マイク２５ｂの位置が右側の場合に示すように、スイッチＳ１，Ｓ３がＯＦＦ且つスイッチＳ２，Ｓ４がＯＮとなるよう制御する。このようにすることで、第２ＶＧＡ部３８２と第１映像出力部３８４及び第２映像出力部３８５とが接続される。したがって、ビデオＲＡＭ３３に記憶された非アダルト映像が表示部３６の左右画面に表示されることとなる。
【０１２３】
Ｓ３１０の処理が終了したら図５のＳ５０の処理において演奏終了するまでは、Ｓ２１０の処理へ戻り、上述した処理へ移行する。
なお、Ｓ３２０にて否定判断された場合とは、子供用マイク２５ｂの位置及び大人用マイク２５ａの位置が共に同じ位置である場合、あるいはいずれか一方が中央に位置する場合を意味する。図９を参照して説明したように、中央付近から見ると左右の画像が混ざった画像として見えることとなる。したがって、子供にアダルト映像を見せないためには、子供が中央にいる場合、つまり子供用マイク２５ｂの位置が中央の場合には、左右画面のいずれも非アダルト映像とする必要がある。また、子供が左右いずれかにおり大人が中央にいる場合、子供には非アダルト映像しか見えないが、仮に左右で異なる映像を表示すると、中央に居る大人は混ざった映像を見ることとなる。このような混ざった映像は見るに耐えない映像なので、左右両画面を同じ映像、つまり子供用の非アダルト映像を表示させるのである。
【０１２４】
［効果の説明］
（１）第１実施形態のカラオケ装置によれば、大人と子供が２人で一緒にカラオケ曲を歌唱する場合であって、背景映像に大人向けの映像内容が含まれている楽曲を選択した場合には、上述した背景映像出力処理（図５のＳ４０及び図６参照）を実行することにより、大人用マイク２５ａ及び子供用マイク２５ｂの位置を介して大人と子供の位置関係を自動的に判定する。そして、その判定した対応関係に基づいて、表示部３６の左右画面へ表示する背景映像の内容を制御する。具体的には、子供には大人向けの背景映像を見せないようにしながら、大人はその背景映像を見ることができるようにすることができる。つまり、大人・子供それぞれに適した背景映像を表示させることができるため、よりカラオケを楽しむことができる。
【０１２５】
（２）また、第１実施形態のカラオケ装置１では、背景映像に大人向けの映像内容が含まれている楽曲が選択されてからカラオケ演奏終了するまでの間、上述した背景映像出力処理（図５のＳ４０及び図６参照）を実行するので、非アダルト映像しか見えていない場所にいた子供がアダルト映像も見えるような位置に来た場合、あるいは来そうな場合に、子供には大人向けの背景映像を見せないようにすることができる。
【０１２６】
（３）また、赤外光発光部２７の反射体２５９を利用者によって持たれることが少ない受音受光部２５０に設け、その反射体２５９が、マイク２５の略水平方向へ発光部２６３から発した光を放射できるので、例えば歌唱者が、マイク２５に設けられた赤外光発光部２７を受光カメラ３４の方へ向けて握り手部２５６を意識的に持つ必要がない。したがって、歌唱者は、マイク２５の握り手部２５６を持ちやすいように自由に持つことができるので、カラオケを集中して楽しむことができる。
【０１２７】
［第２実施形態］
上記第１実施形態では、受光カメラ３４が、大人用マイク２５ａに設けられた赤外光発光部２７ａが放射する第１の赤外光及び子供用マイク２５ｂに設けられた赤外光発光部２７ｂによって放射された第２の赤外光を撮影するように構成されている。これに対して、第２実施形態では、大人用マイクに設けられた赤外光発光部及び子供用マイクに設けられた赤外光発光部がカラオケルームなどの天井に互いに異なる画像を映写し、受光カメラがその天井に映写された画像を撮影し、その撮影した画像信号に基づいてマイク位置を判断するように構成している。
【０１２８】
第１実施形態と第２実施形態との構成の相違は、赤外光発光部、赤外光発光部を設けたマイク及び受光カメラである。なお、上述の赤外光発光部、マイク及び受光カメラ以外の構成は同一であるので、それらの構成要素の符号については第１実施形態と同一の符号を用いて説明する。
【０１２９】
以下、第２実施形態を図面とともに説明する。
図１０（ａ）はカラオケルーム４９内において赤外光発光部４７ａ，４７ｂによって天井４９ａに映写された画像を受光カメラ４４が撮影する様子をその側方から見た図であり、図１０（ｂ）はその状態において天井４９ａに映写された画像と、赤外光発光部４７ａ，４７ｂとを受光カメラ４４側から見た図であり、図１０（ｃ）は図１０（ｂ）のように受光カメラ４４が天井４９ａに対して斜めから撮影した画像に基づいて制御部１２が天井４９ａの画像のみを平面画像に変換した画像を示す説明図である。
【０１３０】
さらに詳しくは、図１０（ａ）は大人用マイク４５ａに設けられた赤外光発光部４７ａが天井４９ａにＡ画像を映写し、子供用マイク４５ｂに設けられた赤外光発光部４７ｂが天井４９ａにＢ画像を映写し、受光カメラ４４がその映写されたＡ画像及びＢ画像を撮影する様子を示している。そして、図１０（ｂ）は右領域、左領域、中央領域及び天井４９ａを有するカラオケルーム４９内において右領域に大人用マイク４５ａに設けられた赤外光発光部４７ａが存在し、左領域に子供用マイク４５ｂに設けられた赤外光発光部４７ｂが存在している様子を示している。また、図１０（ｃ）は大人用マイク４５ａに設けられた赤外光発光部４７ａによって天井４９ａに映写されたＡ画像が右領域の天井４９ａに存在し、子供用マイク４５ｂに設けられた赤外光発光部４７ｂによって天井４９ａに映写されたＢ画像が左領域の天井４９ａに存在している様子を示している。
【０１３１】
以下、第１実施形態との構成が相違する赤外光発光部４７ａ，４７ｂの構成及び受光カメラ４４の構成を説明する。
［赤外光発光部４７ａ，４７ｂの構成の説明］
まず、赤外光発光部４７ａ，４７ｂの構成を説明する。
【０１３２】
赤外光発光部４７ａ、４７ｂは、上述したように大人用マイク４５ａ及び子供用マイク４５ｂにそれぞれ設けられているが、後述する発光部から放出する赤外光の搬送周波数を除いた構成はそれぞれ同一である。そこで、赤外光発光部４７ａ、４７ｂと、大人用マイク４５ａ及び子供用マイク４５ｂとの構成要素の符号については数字の後に英字ａ，ｂを付さないで以下説明する。
【０１３３】
図１１（ａ）は赤外光発光部４７が設けられているマイク４５の外観を示す斜視図であり、図１１（ｂ）はそのマイク４５の縦断面図である。
マイク４５は、略球体の一部を有する受音受光部４５０と、その受音受光部４５０に接続する握り手部２５６と、カラオケ装置１の本体へ接続させるための端子部２５７とを備えている。
【０１３４】
受音受光部４５０は、図１１（ａ）に示すように、透光部４５３と、下部４５５とを備えている。以下、順に説明する。
透光部４５３は、例えばガラスまたは樹脂成型品などの透明な材料からなり、円蓋状の形状をなし、マイク４５が略垂直に保持され、外部からの音声を受ける際に、後述する凸レンズ４６１によって平行にされた赤外光を用いてマイク４５の上方の天井に特定画像を映写する。なお、このように構成された透光部４５３によれば、天井４９ａの面に対して略垂直に映写したときに特定画像として略円形の画像を映写する。
【０１３５】
下部４５５は、マイク４５の内部を保護する金網と、その金網の内側に取り付けられる遮光性を有する例えばゴム製のスポンジシート材などの防風部材とからなり、円蓋状の形状をなし、その円縁端部を透光部４５３の円縁端部に接続し、外部からの音声を内部へ導入する。
【０１３６】
また、受音受光部４５０は、図１１（ｂ）に示すように、第１の赤外光または第２の赤外光のいずれか一方を放出する発光部４６３と、発光部４６３から放出された赤外光を屈曲させて平行にするための凸レンズ４６１と、下部４５５によって内部へ導入された音声を受ける受音部２６５とを備えている。なお、発光部４６３とケーブル２５８とを接続するためのケーブル（図示しない）が設けられている。
【０１３７】
そして、赤外光発光部４７は、図１１（ｂ）に示すように、透光部４５３、凸レンズ２６１及び発光部２６３から構成されている。
次に、発光部４６３及び凸レンズ４６１について説明する。
【０１３８】
発光部４６３は、赤外光送信部１２１から出力された赤外光変調信号を入力すると第１の赤外光または第２の赤外光のいずれか一方を放出する例えば赤外線発光ダイオードや赤外線ランプなどの発光器で構成される。
【０１３９】
凸レンズ４６１は、例えばガラスまたは樹脂成型品などの透明な材料からなり、凸状の形状をなし、発光部４６３から放出された赤外光を屈曲させて凸レンズ４６１の軸心に対して平行にする。そして、上述した透光部４５３は、マイク４５が略垂直に保持され、外部からの音声を受ける際に、凸レンズ４６１によって平行にされた赤外光を用いてマイク４５の上方の天井に特定画像を映写する。
【０１４０】
そして、一般的にカラオケルーム４９内の照明は事務所内の照明などに比べる照度が低いので、赤外光発光部４７ａ，４７ｂからカラオケルーム４９内の天井４９ａに画像を映写し、その映写された画像を受光カメラ４４が撮影し、その撮影した画像信号を出力する際にノイズなどの障害となるような光が天井に照射される可能性は低い。したがって、赤外光発光部４７ａ，４７ｂからカラオケルーム４９内の天井４９ａへ映写された画像の照度を適切に設定することによって、受光カメラ４４はその映写された画像を鮮明に撮影できる。
【０１４１】
上述のように、赤外光発光部４７は、マイク４５が略垂直に保持され、外部からの音声を受ける際に、凸レンズ４６１によって平行にされた赤外光を用いてカラオケルーム４９内の天井４９ａに特定画像を映写できる。
【０１４２】
［受光カメラ４４の構成の説明］
次に、受光カメラ４４の構成を説明する。
受光カメラ４４は、表示部３６の表示画面外で表示画面の横方向の略中央の上部にカメラレンズが天井４９ａへ向けられて配置されている（図１０（ａ）参照）。
【０１４３】
そして、受光カメラ４４は、上記実施形態と同様に例えば魚眼レンズを装着したビデオカメラなどの動画撮影機器によって構成されている。このように構成された受光カメラ３４によれば、図１０（ａ）、（ｂ）に示すように、大人用マイク４５ａ及び子供用マイク４５ｂが画像によって天井４９ａに映写された画像が右領域及び左領域を有するカラオケルーム４９内に存在する際に、赤外光発光部４７ａ、４７ｂによって天井４９ａに映写されたＡ画像及びＢ画像を撮影できる。
【０１４４】
なお、受光カメラ３４は、表示部３６の表示画面外で表示画面の横方向の略中央の上部に配置されているが、これには限らない。表示部３６の表示画面の背後で上方に配置されてもよいし、表示画面の横方向の略中央より左方もしくは右方でもよいし、表示画面の下部でもよい。すなわち、大人用マイク４５ａ及び子供用マイク４５ｂが画像を映写できる天井４９ａ、右領域及び左領域を有するカラオケルーム４９内に存在する際に、赤外光発光部４７ａ、４７ｂによって天井４９ａに映写されたＡ画像及びＢ画像を撮影できる位置であればよい。
【０１４５】
ところで、マイク４５が外部からの音声を受ける際に、必ずしも略垂直に保持されるとは限らない。例えば歌唱者がマイク４５を略垂直よりも傾けた状態でマイク４５の握り手部４５６を持つ場合もあり得る。すると、赤外光発光部４７によって天井４９ａに映写された画像を撮影しても、その画像が映写された天井４９ａの位置の下方に赤外光発光部４７が存在するとは限らない。そこで、このようにマイク２５を略垂直よりも傾けた状態で保持された場合に赤外光発光部４７の位置を推測する手法について図面とともに説明する。
【０１４６】
図１２（ａ）は表示部３６の表示画面側からカラオケルーム４９が有する右領域、左領域及び中央領域を見た図である。さらに詳しくは、右領域に存在するマイク４５が略垂直よりも映写する方向を左方向へ傾けた状態で保持され、赤外光発光部４７によって左領域の天井４９ａにＣ画像を映写している様子を示している。図１２（ｂ）はその状態において受光カメラ４４が撮影したＣ画像を含めた天井４９ａの画像を平面画像に変換した画像を示す説明図である。図１２（ｃ）は受光カメラ４４が撮影したＤ画像を含めた天井４９ａの画像を平面画像に変換した画像を示す説明図である。さらに詳しくは、マイク４５が略垂直よりも映写する方向を前後方向へのみ傾けた状態で保持され、赤外光発光部４７によって右領域の天井４９ａにＤ画像を映写している様子を示している。
【０１４７】
まず、赤外光発光部４７を、天井４９ａの面に対して略垂直に映写したときに特定の図形、例えば略円形を有する画像を映写するように構成する。すると、赤外光発光部４７によって天井４９ａに映写された画像を撮影し、その画像が略円形であれば（図１０（ｃ）のＡ画像、Ｂ画像を参照）、その画像が映写された天井４９ａの位置の下方に赤外光発光部４７が存在すると推測できる。一方、この赤外光発光部４７を略垂直よりも傾けた状態で保持し、天井４９ａに映写したときには、図１２（ｂ）に示すように、略楕円形のＣ画像となる。つまり、赤外光発光部４７によって天井４９ａに映写された画像を撮影し、その画像が略楕円形であれば、その画像が映写された天井４９ａの位置の下方の位置から離れた位置に赤外光発光部４７が存在すると推測できる。
【０１４８】
そして、略楕円形の画像は、その略楕円形の長径方向から赤外光発光部４７によって天井４９ａに映写されることによって形成される。よって、その略楕円形の長径方向もしくは短径方向の向きを測定すれば、赤外光発光部４７が存在する位置の水平面上の方向を推測できる。また、その略楕円形の画像の長径と短径における長さを測定すれば、その略楕円形の長径方向から赤外光発光部４７によって天井４９ａへ映写される角度を推測できる。このように略楕円形の長径と短径との比率と、長径方向もしくは短径方向の向きを測定することによって、マイク２５を略垂直よりも傾けた状態で保持された場合に赤外光発光部４７が存在する位置を推測できる。
【０１４９】
上記のような測定と計算とによって赤外光発光部４７の存在する位置を推測できるが、ここでは右領域、左領域及び中央領域のいずれかの位置に存在するかを判断する簡易化した手法について説明する。
【０１５０】
図１２（ａ）に例示したように、右領域に存在するマイク４５が略垂直よりも映写する方向を左方向へ傾けた状態で保持されて映写した場合には、図１２（ｂ）のＣ画像に例示するように、左右方向へ長い略楕円形となる。このＣ画像の左右方向の長さＬは、マイク４５が略垂直よりも映写する方向を左方向へ傾けた角度に応じて長くなる。また、図１２（ｃ）に例示したように、マイク４５が略垂直よりも映写する方向を前後方向へのみ傾けた状態で保持されて映写した場合には、Ｄ画像のように前後方向へ長い略楕円形となる。この略楕円形の左右方向の長さＬは、その略楕円の短径ＳＤとほぼ等しくなる。したがって、映写された略楕円形の画像の短径ＳＤに対する略楕円形の左右方向の長さＬの比率によって、マイク４５が略垂直よりも映写する方向を左右方向へ傾けた角度の度合いが分かる。
【０１５１】
そこで、例えばＬ／ＳＤが１．５以下であれば、その画像が映写された天井４９ａの位置の下方の領域に赤外光発光部４７の位置が存在すると判断し、Ｌ／ＳＤが１．５以下でなければ、赤外光発光部４７の位置が不定であると判断する。このような手法とすれば、右領域、左領域及び中央領域のいずれかの位置に赤外光発光部４７が存在するか否かを簡易に判断できる。
【０１５２】
以上により、カラオケ装置１は次のような処理を行なう。
まず、受光カメラ４４は、図１０（ｂ）に示すように、大人用マイク４５ａに設けられた赤外光発光部４７ａ及び子供用マイク４５ｂに設けられた赤外光発光部４７ｂがカラオケルーム４９の天井４９ａに映写する互いに異なる画像であるＡ画像及びＢ画像を撮影し、その撮影した画像に基づいて画像信号を赤外光抽出部３５（図２参照）へ出力する。そして、赤外光抽出部３５は、その画像信号から第１の赤外光の画像信号のみを抽出するとともに第２の赤外光の画像信号のみを抽出し、その抽出されたそれぞれの画像信号を２値化部３７へ出力する。そして、２値化部３７は、それぞれの画像信号を２値化し、その２値化されたそれぞれの画像信号を制御部１２へ出力する。
【０１５３】
そして、制御部１２が、その２値化されたそれぞれの画像信号に基づいて天井４９ａの画像のみを平面画像に変換し、その平面画像に基づいて第１の赤外光の画像の位置と形状を検出するとともに、第２の赤外光の画像の位置と形状を検出する。すなわち、２値化された第１の赤外光の画像信号においては赤外光発光部２７ａによって映写された画像の位置と形状のみが検出されるので、赤外光発光部２７ａによって映写された画像の位置と形状のみが検出できる。例えば図１０（ｃ）に示すように、赤外光発光部２７ａによって映写されたＡ画像が右領域の天井内に存在し、その形状は略円形と検出できる。また、２値化された第２の赤外光の画像信号においては赤外光発光部２７ｂによって映写された画像の位置と形状のみが検出されるので、赤外光発光部２７ｂによって映写された画像の位置と形状のみが検出できる。例えば図１０（ｃ）に示すように、赤外光発光部２７ｂによって映写されたＢ画像が左領域の天井内に存在し、その形状は略円形と検出できる。
【０１５４】
そして、制御部１２が、その検出されたそれぞれの赤外光の画像の位置と形状に基づいて赤外光発光部４７ａの位置及び赤外光発光部４７ｂの位置が右領域内、左領域内及び中央領域内のいずれかに存在するかを判断する。すなわち、上述したようなマイク２５を略垂直よりも傾けた状態で保持された場合に赤外光発光部４７の位置を推測する手法に基づいて赤外光発光部４７ａの位置及び赤外光発光部４７ｂの位置が右領域内、左領域内及び中央領域内のいずれかに存在するかを判断する。例えば図１０（ｃ）に示すように、赤外光発光部４７ａによって映写されたＡ画像のＬ／ＳＤが１．５以下であれば、赤外光発光部４７ａの位置が右領域に存在すると判断する。また、例えば図１２（ｂ）に示すように、赤外光発光部４７によって映写されたＣ画像のＬ／ＳＤが１．５以下でなければ、赤外光発光部４７ａの位置が不定であると判断する。
【０１５５】
なお、大人用マイク４５ａが「第１のマイクロフォン」に相当し、子供用マイク４５ｂが「第２のマイクロフォン」に相当する。表示部３６が「表示手段」に相当し、制御部１２が「制御手段」、「検出手段」及び「判断手段」に相当し、赤外光発光部４７ａ，４７ｂが「第１の映像手段」、「第２の映像手段」にそれぞれ相当し、受光カメラ４４が「撮影手段」に相当する。赤外光抽出部３５と２値化部３７とが「第１の抽出手段」及び「第２の抽出手段」に相当し、ＨＤＤ１６が「記憶手段」に相当し、凸レンズ４６１と透光部４５３とが「第１の映写口」、「第２の映写口」及び「映写口」に相当する。
【０１５６】
次に、第２実施形態において制御部１２が実行する背景映像の表示制御処理について図１３〜図１５のフローチャート等に基づいて説明する。第１実施形態の［背景影像の表示制御処理］との相違点は、［背景影像の表示制御処理］のＳ４０の処理である。第１実施形態のＳ４０の処理は［背景映像出力処理（１）］であったが、第２実施形態ではこの処理に替わって次に説明する［背景映像出力処理（２）］を実行する。以下、［背景映像出力処理（２）］について説明する。
【０１５７】
［背景映像出力処理（２）］
背景映像出力処理（２）の詳細について、図１３のフローチャートを参照して説明する。
【０１５８】
まず、大人用マイク４５ａに設けられた赤外光発光部４７ａから第１の画像を映写し、子供用マイク４５ｂに設けられた赤外光発光部４７ｂから第２の画像を映写する（Ｓ４１０）。Ｓ４１０の処理が終了したらＳ４１２の処理へ移行する。
【０１５９】
Ｓ４１２の処理においては、子供用マイクの位置決定処理を実行する。この子供用マイクの位置決定処理の詳細については、図１４のフローチャートを参照して後で説明する。Ｓ４１２の処理が終了したらＳ４１４の処理へ移行する。
【０１６０】
Ｓ４１４の処理においては、大人用マイクの位置決定処理を実行する（Ｓ４１４）。この大人用マイクの位置決定処理の詳細については、図１５のフローチャートを参照して後で説明する。
【０１６１】
上述のＳ４１２の処理とＳ４１４の処理によって、大人用マイク２５ａ及び子供用マイク２５ｂそれぞれの存在位置を決定する。
上述した処理において決定された、大人用マイク４５ａに設けられた赤外光発光部４７ａ及び子供用マイク４５ｂに設けられた赤外光発光部４７ｂそれぞれの存在位置に基づいて、図９に示す右映像が見える領域、左映像が見える領域、それらの間にある左右映像が混ざって見える領域のいずれに大人用マイク４５ａあるいは子供用マイク４５ｂが存在するかの対応関係を把握することができる。具体的には、図１２（ａ）に示す右領域、左領域及び中央領域を、それぞれ図９に示す右映像が見える領域、左映像が見える領域及び左右映像が混ざって見える領域に対応させる。
【０１６２】
そして、Ｓ４１４の処理が終了したらＳ５００の処理へ移行する。
Ｓ５００の処理以降の処理は、第１実施形態のＳ３００の処理以降の処理と同じであるので説明を省略する。
【０１６３】
［子供用マイクの位置決定処理］
それでは、図１３のＳ４１２に示す子供用マイクの位置決定処理の詳細について、図１４のフローチャートを参照して説明する。
【０１６４】
まず、子供用マイク４５ｂからの画像の形状と位置を検出する（Ｓ５１００）。具体的には、上述した［受光カメラ４４の構成の説明］のように、子供用マイク４５ｂに設けられた赤外光発光部４７ｂによって天井４９ａに映写された画像の位置と形状のみを検出する。Ｓ５１００の処理が終了したらＳ５１５０の処理へ移行する。
【０１６５】
Ｓ５１５０の処理においては、子供用マイク４５ｂからの画像の形状と位置を検出したか否かを判断する。そして、子供用マイク４５ｂからの画像の形状と位置を検出したと判断した場合には（Ｓ５１５０：ＹＥＳ）、Ｓ５２００の処理へ移行する。一方、子供用マイク４５ｂからの画像の形状と位置を検出していないと判断した場合には（Ｓ５１５０：ＮＯ）、Ｓ５５００の処理へ移行する。
【０１６６】
Ｓ５２００の処理においては、子供用マイク４５ｂからの画像の形状は略円形か否かを判断する。具体的には、略円形の長径の長さ（以下、ＬＤとも称する）と、短径の長さ（以下、ＳＤとも称する）とを測定し、その比率ＬＤ／ＳＤの数値が例えば１．２以下であれば略円形と判断し、１．２以下でなければ略円形でなく略楕円形と判断する。そして、子供用マイク４５ｂからの画像の形状が略円形と判断した場合には（Ｓ５２００：ＹＥＳ）、Ｓ５３００の処理へ移行する。一方、子供用マイク４５ｂからの画像の形状が略円形ではないと判断した場合には（Ｓ５２００：ＮＯ）、Ｓ５２５０の処理へ移行する。
【０１６７】
Ｓ５２５０の処理においては、Ｌ／ＳＤ≦１．５か否かを判断する。具体的には、上述した［受光カメラ４４の構成の説明］のように、略楕円形の左右方向の長さ（以下、Ｌとも称する）と、ＳＤとを測定し、その比率Ｌ／ＳＤの数値が例えば１．５以下であれば子供用マイク４５ｂの位置が存在すると判断し、１．５以下でなければ子供用マイク４５ｂの位置が不定であると判断する。なお、この数値「１．５」の値は、固定値ではなく、求められる設計許容範囲によって設定される値である。そして、Ｌ／ＳＤ≦１．５であると判断した場合には（Ｓ５２５０：ＹＥＳ）、Ｓ５３００の処理へ移行する。一方、Ｌ／ＳＤ≦１．５ではないと判断した場合には（Ｓ５２５０：ＮＯ）、Ｓ５５００の処理へ移行する。
【０１６８】
Ｓ５３００の処理においては、子供用マイク４５ｂからの画像の位置は左側か否かを判断する。具体的には、上述した［受光カメラ４４の構成の説明］のように、検出された子供用マイク４５ｂからの画像の位置と形状に基づいて子供用マイク４５ｂの位置が左領域内に存在するか否かを判断する。そして、子供用マイク４５ｂからの画像の位置は左側であると判断した場合には（Ｓ５３００：ＹＥＳ）、Ｓ５３５０の処理へ移行する。一方、子供用マイク４５ｂからの画像の位置は左側ではないと判断した場合には（Ｓ５３００：ＮＯ）、Ｓ５４００の処理へ移行する。
【０１６９】
Ｓ５３５０の処理においては、子供用マイク４５ｂの位置は左側であると決定する。
Ｓ５４００の処理においては、子供用マイク４５ｂからの画像の位置は右側か否かを判断する。具体的には、上述した［受光カメラ４４の構成の説明］のように、検出された子供用マイク４５ｂからの画像の位置と形状に基づいて子供用マイク４５ｂの位置が右領域内に存在するか否かを判断する。そして、子供用マイク４５ｂからの画像の位置は右側であると判断した場合には（Ｓ５４００：ＹＥＳ）、Ｓ５４５０の処理へ移行する。一方、子供用マイク４５ｂからの画像の位置は右側ではないと判断した場合には（Ｓ５４００：ＮＯ）、Ｓ５５００の処理へ移行する。
【０１７０】
Ｓ５４５０の処理においては、子供用マイク４５ｂの位置は右側であると決定する。
Ｓ５５００の処理においては、子供用マイク４５ｂの位置は不定であると決定する。
そして、Ｓ５３５０の処理、Ｓ５４５０の処理及びＳ５５００の処理のいずれかの処理が終了したら本処理を終了する。そして、上述したように図１３においてＳ４１４の処理へ移行する。
【０１７１】
［大人用マイクの位置決定処理］
次に、図１３のＳ４１４に示す大人用マイクの位置決定処理の詳細について、図１５のフローチャートを参照して説明する。
【０１７２】
まず、大人用マイク４５ａからの画像の形状と位置を検出する（Ｓ６１００）。具体的には、上述した［受光カメラ４４の構成の説明］のように、大人用マイク４５ａに設けられた赤外光発光部４７ａによって天井４９ａに映写された画像の位置と形状のみを検出する。Ｓ６１００の処理が終了したらＳ６１５０の処理へ移行する。
【０１７３】
Ｓ６１５０の処理においては、大人用マイク４５ａからの画像の形状と位置を検出したか否かを判断する。そして、大人用マイク４５ａからの画像の形状と位置を検出したと判断した場合には（Ｓ６１５０：ＹＥＳ）、Ｓ６２００の処理へ移行する。一方、大人用マイク４５ａからの画像の形状と位置を検出していないと判断した場合には（Ｓ６１５０：ＮＯ）、Ｓ６５００の処理へ移行する。
【０１７４】
Ｓ６２００の処理においては、大人用マイク４５ａからの画像の形状は略円形か否かを判断する。具体的には、略円形の長径の長さ（以下、ＬＤとも称する）と、短径の長さ（以下、ＳＤとも称する）とを測定し、その比率ＬＤ／ＳＤの数値が例えば１．２以下であれば略円形と判断し、１．２以下でなければ略円形でなく略楕円形と判断する。そして、大人用マイク４５ａからの画像の形状が略円形と判断した場合には（Ｓ６２００：ＹＥＳ）、Ｓ６３００の処理へ移行する。一方、大人用マイク４５ａからの画像の形状が略円形ではないと判断した場合には（Ｓ６２００：ＮＯ）、Ｓ６２５０の処理へ移行する。
【０１７５】
Ｓ６２５０の処理においては、Ｌ／ＳＤ≦１．５か否かを判断する。具体的には、上述した［受光カメラ４４の構成の説明］のように、略楕円形の左右方向の長さ（以下、Ｌとも称する）と、ＳＤとを測定し、その比率Ｌ／ＳＤの数値が例えば１．５以下であれば大人用のマイク４５ａの位置が存在すると判断し、１．５以下でなければ大人用のマイク４５ａの位置が不定であると判断する。なお、この数値「１．５」の値は、固定値ではなく、求められる設計許容範囲によって設定される値である。そして、Ｌ／ＳＤ≦１．５であると判断した場合には（Ｓ６２５０：ＹＥＳ）、Ｓ６３００の処理へ移行する。一方、Ｌ／ＳＤ≦１．５ではないと判断した場合には（Ｓ６２５０：ＮＯ）、Ｓ６５００の処理へ移行する。
【０１７６】
Ｓ６３００の処理においては、大人用マイク４５ａからの画像の位置は左側か否かを判断する。具体的には、上述した［受光カメラ４４の構成の説明］のように、検出された大人用マイク４５ａからの画像の位置と形状に基づいて大人用マイク４５ａの位置が左領域内に存在するか否かを判断する。そして、大人用マイク４５ａからの画像の位置は左側であると判断した場合には（Ｓ６３００：ＹＥＳ）、Ｓ６３５０の処理へ移行する。一方、大人用マイク４５ａからの画像の位置は左側ではないと判断した場合には（Ｓ６３００：ＮＯ）、Ｓ６４００の処理へ移行する。
【０１７７】
Ｓ６３５０の処理においては、大人用マイク４５ａの位置は左側であると決定する。
Ｓ６４００の処理においては、大人用マイク４５ａからの画像の位置は右側か否かを判断する。具体的には、上述した［受光カメラ４４の構成の説明］のように、検出された大人用マイク４５ａからの画像の位置と形状に基づいて大人用マイク４５ａの位置が右領域内に存在するか否かを判断する。そして、大人用マイク４５ａからの画像の位置は右側であると判断した場合には（Ｓ６４００：ＹＥＳ）、Ｓ６４５０の処理へ移行する。一方、大人用マイク４５ａからの画像の位置は右側ではないと判断した場合には（Ｓ６４００：ＮＯ）、Ｓ６５００の処理へ移行する。
【０１７８】
Ｓ６４５０の処理においては、大人用マイク４５ａの位置は右側であると決定する。
Ｓ６５００の処理においては、大人用マイク４５ａの位置は不定であると決定する。
そして、Ｓ６３５０の処理、Ｓ６４５０の処理及びＳ６５００の処理のいずれかの処理が終了したら本処理を終了する。そして、上述したように図１３においてＳ４１４の処理へ移行する。
【０１７９】
［効果の説明］
（１）第２実施形態のカラオケ装置１によれば、例えばカラオケルーム４９内においてマイクと受光カメラとの間に歌唱者以外の同伴者やテーブル上の飲食物などの障害物が存在し、マイクに設けられた赤外光発光部から放射された光を受光手段が直接撮影できない場合などに効果的である。つまり、マイク４５に設けた赤外光発光部４７がカラオケルーム４９内の天井４９ａに画像を映写し、受光カメラ４４がその映写された画像をそれらの障害物を避けて、撮影するので、それらの障害物があってもマイク４５の存在位置を判断できる。
【０１８０】
（２）また、赤外光発光部４７の透光部４５３を利用者によって持たれることが少ない受音受光部４５０に設けた。そして、透光部４５３が、発光部４６３から発した光を用いてマイク４５の上方の天井４９ａに画像を映写できるので、例えば歌唱者が、マイク４５に設けられた赤外光発光部４７を天井４９ａの方へ向けて握り手部２５６を意識的に持つ必要がない。したがって、歌唱者は、マイク４５の握り手部２５６を持ちやすいように自由に持つことができるので、カラオケを集中して楽しむことができる。
【０１８１】
［第３実施形態］
上記第２実施形態では、大人用マイク４５ａに設けられた赤外光発光部４７ａ及び子供用マイク４５ｂに設けられた赤外光発光部４７ｂは、大人用マイク４５ａ，子供用マイク４５ｂが略垂直に保持され、外部からの音声を受ける際に、互いに異なる第１の赤外光及び第２の赤外光を用いて大人用マイク４５ａ，子供用４５ｂの略上方向の天井４９ａに第１の画像及び第２の画像を映写できるように構成されている。これに対して、第３実施形態では、大人用マイク５５ａに設けられた赤外光発光部５７ａ及び子供用マイク５５ｂに設けられた赤外光発光部５７ｂは、大人用マイク５５ａ，子供用マイク５５ｂが天井４９ａの面に対して略垂直に映写したときに互いに異なる第１の図形及び第２の図形を有する画像を映写できるように構成している。なお、上述の赤外光発光部及びマイク以外の構成は同一であるので、それらの構成の構成要素の符号については第２実施形態と同一の符号を用いて説明する。
【０１８２】
以下、第３実施形態を図面とともに説明する。
図１７（ａ）はカラオケルーム４９内において受光カメラ４４が天井４９ａに対して斜めから撮影した画像に基づいて制御部１２が天井４９ａの画像のみを平面画像に変換した画像を示す説明図である。図１７（ｂ）は受光カメラ４４が撮影したＩ画像を含めた天井４９ａの画像のみを平面画像に変換した画像を示す説明図である。図１７（ｃ）は赤外光発光部５７ｂが設けられている子供用マイク５５ｂの外観を示す斜視図である。
【０１８３】
さらに詳しくは、図１７（ａ）は大人用マイク５５ａに設けられた赤外光発光部５７ａによって天井４９ａに映写された略円形のＧ画像が右領域の天井４９ａに存在し、子供用マイク５５ｂに設けられた赤外光発光部５７ｂによって天井４９ａに映写された略円環形のＨ画像が左領域の天井４９ａに存在している様子を示している。図１７（ｂ）は子供用マイク５５ｂが略垂直よりも映写する方向を左方向へ傾けた状態で保持され、赤外光発光部５７ｂによって左領域の天井４９ａにＩ画像を映写している様子を示している。
【０１８４】
そして、第２実施形態との構成が相違する赤外光発光部５７ａ，５７ｂの構成を説明する。
［赤外光発光部５７ａ，５７ｂの構成の説明］
上記第２実施形態の赤外光発光部４７ａ、４７ｂと赤外光発光部５７ａ、５７ｂとの構成の相違は透光部及び発光部である。なお、赤外光発光部５７ａの透光部を透光部５５３ａとし、発光部を発光部５６３ａとする。また、赤外光発光部５７ｂの透光部を透光部５５３ｂとし、発光部を発光部５６３ｂとする。
【０１８５】
透光部５５３ａ（図示せず）は、例えばガラスまたは樹脂成型品などの透明な材料からなり、円蓋状の形状をなし、大人用マイク５５ａ（図示せず）が略垂直に保持され、外部からの音声を受ける際に、凸レンズ４６１（図示せず）によって平行にされた赤外光を用いて大人用マイク５５ａの上方の天井４９ａに第１の画像を映写する。なお、このように構成された透光部５５３ａによれば、図１７（ａ）に示すように、天井４９ａの面に対して略垂直に映写したときに特定画像として略円形のＧ画像を映写する。
【０１８６】
透光部５５３ｂは、図１７（ｃ）に示すように、例えばガラスまたは樹脂成型品などの透明な材料からなり、円蓋状の形状をなし、その頭頂部の略中央部に略円形の不透明部５５４を有し、子供用マイク５５ｂが略垂直に保持され、外部からの音声を受ける際に、凸レンズ４６１（図示せず）によって平行にされた赤外光を用いて子供用マイク５５ｂの上方の天井４９ａに第２の画像を映写する。そして、不透明部５５４は、例えば樹脂成型品などの不透明な材料からなり、円蓋状の形状をなし、透光部５５３ｂの頭頂部の略中央部に例えば樹脂系の接着剤によって貼り付けられる。なお、このように構成された透光部５５３ｂによれば、図１７（ａ）に示すように、天井４９ａの面に対して略垂直に映写したときに特定画像として略円環形のＨ画像を映写する。
【０１８７】
発光部５６３ａ，５６３ｂは、ともに赤外光送信部１２１から出力された赤外光変調信号を入力すると同じ赤外光を放出する例えば赤外線発光ダイオードや赤外線ランプなどの発光器で構成される。
【０１８８】
そして、図１７（ｂ）に示すような略円環形の外周と内周が略楕円形となっているＩ画像は、その略楕円形の長径方向から赤外光発光部５７によって天井４９ａに映写されることによって形成される。よって、上述した［受光カメラ４４の構成の説明］における「マイク２５を略垂直よりも傾けた状態で保持された場合に赤外光発光部４７の位置を推測する手法」に基づいて赤外光発光部５７ｂが存在する位置は右領域内、左領域内及び中央領域内のいずれかに存在するかを判断する。
【０１８９】
以上により、カラオケ装置１は次のような処理を行なう。
まず、受光カメラ４４は、図１７（ａ）に示すように、大人用マイク５５ａに設けられた赤外光発光部５７ａ及び子供用マイク５５ｂに設けられた赤外光発光部５７ｂがカラオケルーム４９の天井４９ａに映写する第１の図形を有する画像及び第２の図形を有する画像を撮影し、その撮影した画像に基づいて画像信号を赤外光抽出部３５（図２参照）へ出力する。例えば第１の図形として略円形の図形を有するＧ画像とし、第２の図形として略円環形の図形を有するＨ画像とする。
【０１９０】
そして、赤外光抽出部３５は、その画像信号から赤外光の画像信号を抽出し、その抽出された画像信号を２値化部３７へ出力する。そして、２値化部３７は、画像信号を２値化し、その２値化された画像信号を制御部１２へ出力する。
【０１９１】
そして、制御部１２が、その２値化された画像信号に基づいて天井４９ａの画像のみを平面画像に変換し、その平面画像に基づいて第１の図形の特徴を有する画像の位置と形状を検出するとともに、第２の図形の特徴を有する画像の位置と形状を検出する。例えば図１７（ａ）に示すように、略円形の特徴を有するＧ画像が右領域の天井４９ａ内に存在し、その形状は略円形と検出し、略円環形の特徴を有するＨ画像が左領域の天井４９ａ内に存在し、その形状は略円環形と検出する。また、例えば図１７（ｂ）に示すように、略楕円形の特徴を有するＩ画像が左領域の天井４９ａ内に存在し、その形状は略円環形の外周と内周が略楕円形と検出する。
【０１９２】
そして、制御部１２が、その検出された第１の図形の特徴を有する画像の位置と形状に基づいて赤外光発光部５７ａの位置が右領域内、左領域内及び中央領域内のいずれかに存在するかを判断し、その検出された第２の図形の特徴を有する画像の位置と形状に基づいて赤外光発光部５７ｂの位置が右領域内、左領域内及び中央領域内のいずれかに存在するかを判断する。例えば図１７（ａ）に示すように、検出された略円形の特徴を有するＧ画像の位置（右領域の天井４９ａ内に存在）と、その形状（略円形）に基づいて赤外光発光部５７ａの位置が右領域に存在すると判断し、検出された略円環形の特徴を有するＨ画像の位置（左領域の天井４９ａ内に存在）と、その形状（略円環形）に基づいて赤外光発光部５７ｂの位置が右領域に存在すると判断する。また、上述した［受光カメラ４４の構成の説明］における「マイク２５を略垂直よりも傾けた状態で保持された場合に赤外光発光部４７の位置を推測する手法」に基づいて、例えば図１７（ｂ）に示すように、検出された略円環形の特徴を有するＩ画像の略楕円形の外周のＬ／ＳＤが１．５以下でなければ、赤外光発光部５７ｂの位置が不定であると判断する。
【０１９３】
なお、大人用マイク５５ａが「第１のマイクロフォン」に相当し、子供用マイク５５ｂが「第２のマイクロフォン」に相当する。表示部３６が「表示手段」に相当し、制御部１２が「制御手段」及び「判断手段」に相当し、赤外光発光部５７ａ，５７ｂが「第１の映像手段」、「第２の映像手段」にそれぞれ相当し、受光カメラ４４が「撮影手段」に相当する。赤外光抽出部３５、２値化部３７及び制御部１２が「図形検出手段」に相当し、ＨＤＤ１６が「記憶手段」に相当する。
【０１９４】
［効果の説明］
第３実施形態のカラオケ装置１によれば、例えばカラオケルーム４９内においてマイクと受光カメラとの間に歌唱者以外の同伴者やテーブル上の飲食物などの障害物が存在し、マイクに設けられた赤外光発光部から放射された光を受光手段が直接撮影できない場合などに効果的である。つまり、マイク５５に設けた赤外光発光部５７がカラオケルーム４９内の天井４９ａに互いに異なる図形を有する画像を映写し、それらの障害物を避けて、映写された画像を撮影するので、それらの障害物があってもマイク５５の存在位置を判断できる。
【０１９５】
［他の実施形態］
以上、本発明の実施形態について説明したが、本発明は上記実施形態に限定されるものではなく、以下のような様々な態様にて実施することが可能である。
【０１９６】
（１）上記第２実施形態では、カラオケ装置１が、カラオケルーム４９において使用されることを想定したが、これには限らない。カラオケ装置１が、自動車などの移動体に搭載される車載カラオケ装置として使用されてもよい。
【０１９７】
したがって、この車載カラオケ装置の構成は、上記第２実施形態と同一であるので、カラオケ装置の構成要素の符号については第２実施形態と同一の符号を用いて説明する。
図１６（ａ）は自動車４４９内に設置されたカラオケ装置１の表示部３６と受光カメラ４４と乗員との配置の様子を上方から見た図であり、図１６（ｂ）は大人用マイク４５ａ及び子供用マイク４５ｂにそれぞれ設けられている赤外光発光部４７ａ，４７ｂによって自動車４４９内の天井４４９ａに映写された画像を受光カメラ４４が撮影する様子をその側方から見た図である。さらに詳しくは、図１２（ａ）は前部座席の右領域（運転席）と左領域（助手席）に大人の利用者が存在し、後部座席に１人の子供の利用者が存在している様子を示している。そして、後部座席の子供は右領域へも左領域へも移動可能な様子を示している。なお、例えば車載ナビゲーション装置の表示部がデュアルビューディスプレイであれば、この表示部をカラオケ装置１の表示部３６として使用することもできる。図１６（ｂ）は大人用マイク４５ａに設けられた赤外光発光部４７ａが天井４４９ａにＥ画像を映写し、子供用マイク４５ｂに設けられた赤外光発光部４７ｂが天井４４９ａにＦ画像を映写し、受光カメラ４４がその映写されたＥ画像及びＦ画像を撮影する様子を示している。
【０１９８】
そして、受光カメラ４４は、表示部３６の表示画面外で表示画面の横方向の略中央の上部にカメラレンズが天井４４９ａへ向けられて配置されている。
このようにすれば、後部座席の子供の利用者がカラオケ歌唱する場合には、子供用マイク４５ｂと受光カメラ４４との間に例えば前部座席やヘッドレストなどの障害物があっても、子供用マイク４５ｂに設けられた赤外光発光部４７ｂが自動車４４９内の天井４４９ａにＦ画像を映写し、受光カメラ４４がその映写されたＦ画像をそれらの障害物を避けて、撮影するので、子供用マイク４５ｂの存在位置を判断できる。
【０１９９】
そして、自動車４４９内において大人と子供が２人で一緒にカラオケ曲を歌唱する場合であって、背景映像に大人向けの映像内容が含まれている楽曲を選択した場合には、上述した背景映像出力処理（図５のＳ４０及び図１３〜図１５参照）を実行することにより、大人用マイク４５ａ及び子供用マイク４５ｂの位置を介して大人と子供の位置関係を自動的に判定する。そして、その判定した対応関係に基づいて、表示部３６の左右画面へ表示する背景映像の内容を制御する。具体的には、後部座席に位置する子供には大人向けの背景映像を見せないようにしながら、助手席に位置する大人はその背景映像を見ることができるようにすることができる。つまり、大人・子供それぞれに適した背景映像を表示させることができるため、よりカラオケを楽しむことができる。
【０２００】
また、自動車４４９に限らず、バスでもよいし、列車、飛行機など種々の移動体での使用が考えられる。
（２）上記実施形態では、大人用マイク２５ａ（４５ａ，５５ａ）、子供用マイク２５ｂ（４５ｂ，５５ｂ）がそれぞれ１本ずつの計２本のマイクを想定したが、例えば大人用マイクまたは子供用マイクの少なくともいずれか一方が２本以上存在してもよい。この場合には、２本以上の子供用マイクの少なくともいずれか一方がアダルト映像の見える位置に存在する場合には、表示部３６の左右両画面に非アダルト映像を表示させる。そして、２本以上の子供用マイクの全てが左右のいずれかに存在し、２本以上の大人用マイクの全てが子供用マイクの存在する側とは反対側に存在する場合に、左右それぞれにアダルト映像と非アダルト映像を表示させるようにすればよい。
【０２０１】
（３）上記実施形態では、第１の歌唱者と第２の歌唱者の関係について、大人と子供という事例を挙げて説明したが、第１の歌唱者と第２の歌唱者は大人と子供という関係のみに限定されるわけではない。例えば第１の歌唱者と第２の歌唱者は男性と女性であってもよいし、第１の歌唱者と第２の歌唱者は上司と部下など、種々の関係が考えられる。そして、それらの関係に応じて背景画像の内容も適宜設定すればよい。
【図面の簡単な説明】
【０２０２】
【図１】カラオケ装置１の構成を示すブロック図である。
【図２】映像出力に関する構成と、赤外光放射及び赤外光撮影に関する構成を示すブロック図である。
【図３】（ａ）は赤外光発光部２７が設けられているマイク２５の外観を示す斜視図であり、（ｂ）はそのマイク２５の縦断面図である。
【図４】（ａ）はカラオケルーム４９内において赤外光発光部２７ａ，２７ｂによって放射された赤外光を受光カメラ３４が撮影する様子を上方から見た図であり、図４（ｂ）はその斜視図であり、（ｃ）は受光カメラ３４が撮影した画像を示す説明図である。
【図５】所定のカラオケ楽曲が選択されている場合の制御処理全体を示すフローチャートである。
【図６】背景映像出力処理（１）を示すフローチャートである。
【図７】楽曲データフォーマットの説明図である。
【図８】（ａ）は大人用マイク２５ａ及び子供用マイク２５ｂの位置と、左右画面の映像内容の対応関係を示す説明図であり、（ｂ）は、大人用マイク２５ａ及び子供用マイク２５ｂの位置と、切替スイッチ部３８３の４つのスイッチＳ１，Ｓ２，Ｓ３，Ｓ４のＯＮ／ＯＦＦ状態の対応関係を示す説明図である。
【図９】デュアルビュー表示の説明図である。
【図１０】（ａ）はカラオケルーム４９内において赤外光発光部４７ａ，４７ｂによって天井４９ａに映写された画像を受光カメラ４４が撮影する様子をその側方から見た図であり、（ｂ）は（ａ）の状態において天井４９ａに映写された画像と、赤外光発光部４７ａ，４７ｂとを受光カメラ４４側から見た図であり、（ｃ）は（ｂ）のように受光カメラ４４が天井４９ａに対して斜めから撮影した画像に基づいて制御部１２が天井４９ａの画像のみを平面画像に変換した画像を示す説明図である。
【図１１】（ａ）は赤外光発光部４７が設けられているマイク４５の外観を示す斜視図であり、（ｂ）はそのマイク４５の縦断面図である。
【図１２】（ａ）は表示部３６の表示画面側からカラオケルーム４９が有する右領域、左領域及び中央領域を見た図であり、（ｂ）は（ａ）の状態において受光カメラ４４が撮影したＣ画像を含めた天井４９ａの画像を平面画像に変換した画像を示す説明図であり、（ｃ）は受光カメラ４４が撮影したＤ画像を含めた天井４９ａの画像を平面画像に変換した画像を示す説明図である。
【図１３】背景映像出力処理（２）を示すフローチャートである。
【図１４】子供用マイクの位置決定処理を示すフローチャートである。
【図１５】大人用マイクの位置決定処理を示すフローチャートである。
【図１６】（ａ）は自動車４４９内における表示部３６と受光カメラ３４と乗員との配置の様子を上方から見た図であり、（ｂ）は自動車４４９内において赤外光発光部４７ａ，４７ｂによって天井４４９ａに映写された画像を受光カメラ４４が撮影する様子をその側方から見た図である。
【図１７】（ａ）はカラオケルーム４９内において受光カメラ４４が天井４９ａに対して斜めから撮影した画像に基づいて制御部１２が天井４９ａの画像のみを平面画像に変換した画像を示す説明図であり、（ｂ）は受光カメラ４４が撮影したＩ画像を含めた天井４９ａの画像のみを平面画像に変換した画像を示す説明図であり、（ｃ）は赤外光発光部５７が設けられている子供用マイク５５ｂの外観を示す斜視図である。
【符号の説明】
【０２０３】
１…カラオケ装置、２…リモコン端末、１２…制御部、１４…インタフェース部、１６…ハードディスク（ＨＤＤ）、１８…操作部、２０…赤外線通信部、２２…操作処理部、２４…音声制御部、２５ａ，４５ａ，５５ａ…大人用マイク、２５ｂ，４５ｂ，５５ｂ…子供用マイク、２５，２５ｃ，２５ｄ，４５，５５…マイク、２７ａ，２７ｂ，２７，４７ａ，４７ｂ，４７，５７ａ，５７ｂ，５７…赤外光発光部、２８…スピーカ、３０…ＭＩＤＩ音源、３２，３３…ビデオＲＡＭ、３４，４４…受光カメラ、３５…赤外光抽出部、３６…表示部、３６ａ…表示画面、３７…２値化部、３８…映像制御部、３９…バス、４０…ＵＳＢ、４９…カラオケルーム、４９ａ…天井、４９ｂ…床、１００…ネットワーク、１２１…赤外光送信部、２５０，４５０…受音受光部、２５１…上部、２５３，４５３，５５３ａ，５５３ｂ…透光部、２５５，４５５…下部、２５６，４５６…握り手部、２５７，４５７…端子部、２５８，４５８…ケーブル、２５９…反射体、２６１，４６１…凸レンズ、２６３，４６３，５６３ａ，５６３ｂ…発光部、２６５，４６５…受音部、３８１…第１ＶＧＡ部、３８２…第２ＶＧＡ部、３８３…切替スイッチ部、３８４…第１映像出力部、３８５…第２映像出力部、４４９…自動車、４４９ａ…天井、５５４…不透明部。
【図１】
0004396663.tif 000002
【図４】
0004396663.tif 000003
【図５】
0004396663.tif 000004
【図６】
0004396663.tif 000005
【図７】
0004396663.tif 000006
【図８】
0004396663.tif 000007
【図９】
0004396663.tif 000008
【図１０】
0004396663.tif 000009
【図１１】
0004396663.tif 000010
【図１２】
0004396663.tif 000011
【図１３】
0004396663.tif 000012
【図１４】
0004396663.tif 000013
【図１５】
0004396663.tif 000014
【図１７】
0004396663.tif 000015
【図２】
0004396663.tif 000016
【図３】
0004396663.tif 000017
【図１６】
0004396663.tif 000018